(57)【要約】  実施形態は、無線アクセスネットワーク内のネットワークノードに能力を広告するユーザ装置（ＵＥ）のための方法を含む。実施形態は、ＵＥによってサポートされる複数の特徴セットを記述した情報をネットワークノードに送信することを含む。情報は、１つまたは複数のInitialFeatureListと１つまたは複数のExtensionFeatureListを含むことができ、各ExtensionFeatureListは特定のInitialFeatureListに関連付けられている。実施形態はまた、ネットワークノードに、１つまたは複数のBandCombination要素を送信することを含み、各々のBandCombination要素は、ＵＥが同時に動作可能である周波数バンドのリストと、リストに含まれる各周波数バンド内でＵＥによってサポートされる特徴を識別するFeatureSetCombination要素と、を含む。いくつかの実施形態では、複数の特徴セットとBandCombination要素とを記述する情報に基づく（例えば、デュアル接続および／またはキャリアアグリゲーションのための）構成をネットワークノードから受信することを含むことができる。他の実施形態は、ネットワークノードによって実行される相補的な方法を含む。【選択図】図９
2021525020.tif 000002
【特許請求の範囲】
【請求項１】
ユーザ装置（ＵＥ）が、無線アクセスネットワーク（ＲＡＮ）内のネットワークノードにＵＥ能力を広告する方法であって、該方法は、
前記ＵＥによってサポートされる複数の特徴セットを記述した情報を前記ネットワークノードに送信すること（９１０）であって、前記情報は、
１つまたは複数のInitialFeatureListであって、各InitialFeatureListは１つまたは複数の非拡張可能なInitialFeatureSet要素を含み、各非拡張可能なInitialFeatureSet要素は１つまたは複数の初期特徴に対する前記ＵＥのサポートを示す、前記１つまたは複数のInitialFeatureListと、
１つまたは複数のExtensionFeatureListであって、各ExtensionFeatureListは特定のInitialFeatureListに関連付けられており、各ExtensionFeatureListは１つまたは複数のExtensionFeatureSet要素を含み、各ExtensionFeatureSet要素は１つまたは複数の拡張特徴に対する前記ＵＥのサポートを示す、前記１つまたは複数のExtensionFeatureListと、
を含む、前記送信すること（９１０）と、
１つまたは複数のBandCombination要素を前記ネットワークノードに送信すること（９２０）であって、各BandCombination要素は、
前記ＵＥが同時に情報を送信および／または受信可能である周波数バンドのリストと、
前記リストに含まれる各周波数バンド内で前記ＵＥによってサポートされる複数の特徴を識別するFeatureSetCombination要素であって、特定の周波数バンド内で前記ＵＥによってサポートされる前記複数の特徴は、各InitialFeatureListからの特定のInitialFeatureSet要素と、各InitialFeatureListに関連付けられたExtensionFeatureListからの対応するExtensionFeatureSet要素と、に基づく、前記FeatureSetCombination要素と、
を含む、前記送信すること（９２０）と、
を含む方法。
【請求項２】
構成を前記ネットワークノードから受信すること（９３０）であって、前記構成は、
１つまたは複数の周波数バンドの識別であって、識別される周波数バンドは特定の送信されたBandCombination要素に含まれるリストの一部である、前記１つまたは複数の周波数バンドの識別と、
前記識別される周波数バンドの各々に対する、前記特定の送信されたBandCombination要素によって識別される１つまたは複数の特徴の構成と、
を含む、前記受信すること（９３０）をさらに含む
請求項１に記載の方法。
【請求項３】
前記受信された構成は、デュアルコネクティビティ（ＤＣ）またはキャリアアグリゲーション（ＣＡ）の動作に対する複数の周波数バンドを識別する
請求項２に記載の方法。
【請求項４】
前記受信された構成は、前記識別された周波数バンドそれぞれに関連付けられたInitialFeatureSet要素によって示される特徴のみを含む
請求項２または３に記載の方法。
【請求項５】
前記受信された構成は、前記識別された周波数バンドそれぞれに関連付けられたInitialFeatureSet要素および対応するExtensionFeatureSet要素の両方によって示される特徴を含む
請求項２または３に記載の方法。
【請求項６】
前記受信された構成に従って、前記識別された周波数バンドで前記ネットワークノードと情報を送信または受信すること（９４０）をさらに含む
請求項２乃至５の何れか１項に記載の方法。
【請求項７】
各InitialFeatureSet要素および関連するExtensionFeatureSet要素は、前記特定の周波数バンド全体に関して前記ＵＥによってサポートされる特徴を識別する
請求項１乃至６の何れか１項に記載の方法。
【請求項８】
各InitialFeatureSet要素は、また、前記特定の周波数バンド内の個々のコンポーネントキャリアに関して前記ＵＥによってサポートされる特徴を識別する
請求項７に記載の方法。
【請求項９】
前記１つまたは複数のInitialFeatureListは、ダウンリンク動作に関連付けられた第１のInitialFeatureListと、アップリンク動作に関連付けられた第２のInitialFeatureListと、を含む
請求項１乃至８の何れか１項に記載の方法。
【請求項１０】
ExtensionFeatureListの特定の位置にあるExtensionFeatureSetは、InitialFeatureListの同じ前記特定の位置にあるInitialFeatureSetに対応する
請求項１乃至９の何れか１項に記載の方法。
【請求項１１】
周波数バンドの前記リストに含まれる各特定の周波数バンドに対して、
前記FeatureSetCombination要素は、特定の周波数バンドに対する１つまたは複数のFeatureSetIdentifierを含み、
各FeatureSetIdentifierは、特定のInitialFeatureListと、特定の周波数バンドに対する関連するExtensionFeatureListと、に関連し、
各FeatureSetIdentifierは、前記関連するInitialFeatureListからの前記特定のInitialFeatureSet要素と、前記関連するExtensionFeatureListからの前記対応するExtensionFeatureSet要素と、を識別する
請求項１乃至１０の何れか１項に記載の方法。
【請求項１２】
前記１つまたは複数のFeatureSetIdentifierは、各特定の周波数バンドに対して、ダウンリンク動作に関連付けられた第１のFeatureSetIdentifierと、アップリンク動作に関連付けられた第２のFeatureSetIdentifierと、を含む
請求項１１に記載の方法。
【請求項１３】
無線アクセスネットワーク（ＲＡＮ）のネットワークノードが、ユーザ装置（ＵＥ）の能力を決定する方法であって、該方法は、
前記ＵＥによってサポートされる複数の特徴セットを記述した情報を前記ＵＥから受信すること（１０１０）であって、前記情報は、
１つまたは複数のInitialFeatureListであって、各InitialFeatureListは１つまたは複数の非拡張可能なInitialFeatureSet要素を含み、各非拡張可能なInitialFeatureSet要素は１つまたは複数の初期特徴に対する前記ＵＥのサポートを示す、前記１つまたは複数のInitialFeatureListと、
１つまたは複数のExtensionFeatureListであって、各ExtensionFeatureListは特定のInitialFeatureListに関連付けられており、各ExtensionFeatureListは１つまたは複数のExtensionFeatureSet要素を含み、各ExtensionFeatureSet要素は１つまたは複数の拡張特徴に対する前記ＵＥのサポートを示す、前記１つまたは複数のExtensionFeatureListと、
を含む、前記受信すること（１０１０）と、
１つまたは複数のBandCombination要素を前記ＵＥから受信すること（１０２０）であって、各BandCombination要素は、
前記ＵＥが同時に情報を送信および／または受信可能である周波数バンドのリストと、
前記リストに含まれる各周波数バンド内で前記ＵＥによってサポートされる複数の特徴を識別するFeatureSetCombination要素であって、特定の周波数バンド内で前記ＵＥによってサポートされる前記複数の特徴は、各InitialFeatureListからの特定のInitialFeatureSet要素と、各InitialFeatureListに関連付けられたExtensionFeatureListからの対応するExtensionFeatureSet要素と、に基づく、前記FeatureSetCombination要素と、
を含む、前記受信すること（１０２０）と、
前記受信された１つまたは複数のBandCombination要素と、前記ＵＥによってサポートされる前記複数の特徴セットを記述する前記受信された情報と、に基づいて、前記ＵＥの能力を決定すること（１０３０）と、
を含む方法。
【請求項１４】
前記ＵＥの能力を前記決定すること（１０３０）は、各特定のBandCombination要素に対して、
前記ネットワークノードが、前記特定のBandCombination要素によって識別されるそれぞれのExtensionFeatureSet要素をサポートしているかどうかを決定すること（１０３２）と、
前記ネットワークノードがサポートしていない各特定のExtensionFeatureSet要素に対して、前記関連するInitialFeatureSet要素によって記述された特徴に基づきかつ前記特定のExtensionFeatureSet要素によって記述された特徴には基づかずに、前記ＵＥの能力を決定すること（１０３４）と、
前記ネットワークノードがサポートしている各特定のExtensionFeatureSet要素に対して、前記関連するInitialFeatureSet要素および前記特定のExtensionFeatureSet要素によって記述された特徴に基づいて前記ＵＥの能力を決定すること（１０３６）と、
を含む
請求項１３に記載の方法。
【請求項１５】
構成を前記ＵＥに送信すること（１０４０）であって、前記構成は、
１つまたは複数の周波数バンドの識別であって、識別される周波数バンドは特定の受信されたBandCombination要素に含まれるリストの一部である、前記１つまたは複数の周波数バンドの識別と、
前記識別される周波数バンドの各々に対する、前記特定の受信されたBandCombination要素によって識別される１つまたは複数の特徴の構成と、
を含む、前記送信すること（１０４０）をさらに含む
請求項１３または１４に記載の方法。
【請求項１６】
前記送信された構成は、デュアルコネクティビティ（ＤＣ）またはキャリアアグリゲーション（ＣＡ）の動作に対する複数の周波数バンドを識別する
請求項１５に記載の方法。
【請求項１７】
前記送信された構成は、前記識別された周波数バンドそれぞれに関連付けられたInitialFeatureSet要素によって示される特徴のみを含む
請求項１５または１６に記載の方法。
【請求項１８】
前記送信された構成は、前記識別された周波数バンドそれぞれに関連付けられたInitialFeatureSet要素および対応するExtensionFeatureSet要素の両方によって示される特徴を含む
請求項１５または１６に記載の方法。
【請求項１９】
前記送信された構成に従って、前記複数の周波数バンドで前記ＵＥと情報を送信または受信すること（１０５０）をさらに含む
請求項１５または１６に記載の方法。
【請求項２０】
各InitialFeatureSet要素および関連するExtensionFeatureSet要素は、前記特定の周波数バンド全体に関して前記ＵＥによってサポートされる特徴を識別する
請求項１３乃至１９の何れか１項に記載の方法。
【請求項２１】
各InitialFeatureSet要素は、また、前記特定の周波数バンド内の個々のコンポーネントキャリアに関して前記ＵＥによってサポートされる特徴を識別する
請求項２０に記載の方法。
【請求項２２】
前記１つまたは複数のInitialFeatureListは、ダウンリンク動作に関連付けられた第１のInitialFeatureListと、アップリンク動作に関連付けられた第２のInitialFeatureListと、を含む
請求項１３乃至２１の何れか１項に記載の方法。
【請求項２３】
ExtensionFeatureListの特定の位置にあるExtensionFeatureSetは、InitialFeatureListの同じ前記特定の位置にあるInitialFeatureSetに対応する
請求項１３乃至２２の何れか１項に記載の方法。
【請求項２４】
周波数バンドの前記リストに含まれる各特定の周波数バンドに対して、
前記FeatureSetCombination要素は、特定の周波数バンドに対する１つまたは複数のFeatureSetIdentifierを含み、
各FeatureSetIdentifierは、特定のInitialFeatureListと、特定の周波数バンドに対する関連するExtensionFeatureListと、に関連し、
各FeatureSetIdentifierは、前記関連するInitialFeatureListからの前記特定のInitialFeatureSet要素と、前記関連するExtensionFeatureListからの前記対応するExtensionFeatureSet要素と、を識別する
請求項２３に記載の方法。
【請求項２５】
前記１つまたは複数のFeatureSetIdentifierは、各特定の周波数バンドに対して、ダウンリンク動作に関連付けられた第１のFeatureSetIdentifierと、アップリンク動作に関連付けられた第２のFeatureSetIdentifierと、を含む
請求項２４に記載の方法。
【請求項２６】
無線アクセスネットワーク（ＲＡＮ）内のネットワークノードにＵＥ能力を広告するよう動作可能なユーザ装置（ＵＥ）（１１１０、１２００、１５３０）であって、該ＵＥは、
前記ネットワークノードと通信するように構成された無線インタフェース回路（１１１４、１２３１、１５３７）と、
前記無線インタフェース回路（１１１４、１２３１、１５３７）に動作可能に結合された処理回路（１１２０、１２０１、１５３８）であって、それにより、前記処理回路と前記無線インタフェース回路との組み合わせは、請求項１乃至１２の何れか１項に記載の方法に対応する動作を実行するように構成される、前記処理回路（１１２０、１２０１、１５３８）と、
を含むＵＥ。
【請求項２７】
無線アクセスネットワーク（ＲＡＮ）内のネットワークノードにＵＥ能力を広告するよう動作可能なユーザ装置（ＵＥ）（１１１０、１２００、１５３０）であって、該ＵＥは、請求項１乃至１２の何れか１項に記載の方法に対応する動作を実行するように配置される、ＵＥ。
【請求項２８】
ユーザ装置（１１１０、１２００、１５３０）の処理回路（１１２０、１２０１、１５３８）によって実行されたとき、請求項１乃至１２の何れか１項に記載の方法に対応する動作を実行するように前記ユーザ装置を構成する、コンピュータ実行可能命令を格納した非一時的コンピュータ可読媒体（１１５０、１２２１）。
【請求項２９】
ユーザ装置（１１１０、１２００、１５３０）の処理回路（１１２０、１２０１、１５３８）によって実行されたとき、請求項１乃至１２の何れか１項に記載の方法に対応する動作を実行するように前記ユーザ装置を構成する、コンピュータ実行可能命令を含むコンピュータプログラム製品。
【請求項３０】
ユーザ装置（ＵＥ）の能力を決定するように構成された無線アクセスネットワーク（ＲＡＮ）のネットワークノード（１１６０、１５２７）であって、該ネットワークノードは、
前記ＵＥと通信するように動作可能な無線インタフェース回路（１１１１０、１５２７）と、
前記無線インタフェース回路（１１１１０、１５２７）に動作可能に結合された処理回路（１１７０，１５２８）であって、それにより、前記処理回路および前記無線インタフェース回路は、請求項１３乃至２５の何れか１項に記載の方法に対応する動作を実行するように構成される、前記処理回路（１１７０，１５２８）と、
を含むネットワークノード。
【請求項３１】
ユーザ装置（ＵＥ）の能力を決定するように構成された無線アクセスネットワーク（ＲＡＮ）のネットワークノード（１１６０、１５２７）であって、該ネットワークノードは、請求項１３乃至２５の何れか１項に記載の方法に対応する動作を実行するように配置される、ネットワークノード。
【請求項３２】
ネットワークノード（１１６０、１５２７）の処理回路（１１７０、１５２８）によって実行されたとき、請求項１３乃至２５の何れか１項に記載の方法に対応する動作を実行するように前記ネットワークノードを構成する、コンピュータ実行可能命令を格納した非一時的コンピュータ可読媒体（１１５０、１２２１）。
【請求項３３】
ネットワークノード（１１６０、１５２７）の処理回路（１１７０、１５２８）によって実行されたとき、請求項１３乃至２５の何れか１項に記載の方法に対応する動作を実行するように前記ネットワークノードを構成する、コンピュータ実行可能命令を含むコンピュータプログラム製品。
【発明の詳細な説明】
【技術分野】
【０００１】
本開示は、一般に、無線通信の分野に関し、より具体的には、無線デバイスが、サポートされた特徴および／または能力を無線ネットワークに広告することを可能にし、それにより、デバイスとネットワークとの間の相互運用性を促進する技術に関する。
【背景技術】
【０００２】
一般的に、本明細書で使用されるすべての用語は、異なる意味が明確に与えられている場合および／またはそれが使用される文脈から暗示されている場合を除き、関連する技術分野における通常の意味に従って解釈されるべきである。１つ（a/an/the）の要素、装置、構成要素、手段、ステップなどへのすべての言及は、明示的に別段の記載がない限り、要素、装置、構成要素、手段、ステップなどの少なくとも１つのインスタンスを参照していると公然と解釈されるべきである。本明細書に開示された任意の方法のステップは、ステップが他のステップに続くか先行するように明示的に記述されている場合、および／またはステップが他のステップに続くか先行しなければならないことが暗黙的に記述されている場合を除き、開示された正確な順序で実行されなければならないわけではない。本明細書に開示された実施形態のいずれかの特徴は、適切な場合はどこでも、他の実施形態に適用することができる。同様に、本明細書に開示された実施形態のいずれかの利点は、他の実施形態のいずれかに適用されてもよく、またその逆も同様である。封入された実施形態の他の目的、特徴および利点は、以下の説明から明らかになるであろう。
【０００３】
ロングタームエボリューション（ＬＴＥ）は、第３世代パートナーシッププロジェクト（３ＧＰＰ）内で開発され、リリース８および９で最初に標準化された、いわゆる第４世代（４Ｇ）無線アクセス技術の包括的な用語であり、進化型ＵＴＲＡＮ（Ｅ−ＵＴＲＡＮ）としても知られている。ＬＴＥは、免許されたさまざまな周波数バンドを対象としており、一般的にシステムアーキテクチャエボリューション（ＳＡＥ）と呼ばれる無線以外の部分の改良を伴っている（進化型パケットコア（ＥＰＣ）ネットワークを含む）。ＬＴＥは、３ＧＰＰとそのワーキンググループ（ＷＧ）（無線アクセスネットワーク（ＲＡＮ）ＷＧを含む）、およびサブワーキンググループ（ＲＡＮ１、ＲＡＮ２など）との標準化プロセスに従って開発された後続のリリースを通じて、進化を続けている。
【０００４】
ＬＴＥでは、無線リソース制御（ＲＲＣ）プロトコルは、ユーザ装置（ＵＥ）と進化型ノードＢ（ｅＮＢ）として知られる基地局との間の無線接続を構成、設定、および維持するために使用される。ＵＥがｅＮＢからＲＲＣメッセージを受信すると、ＵＥは構成を適用し（ここでは「構成のコンパイル」とも呼ばれる）、これが成功した場合、ＵＥは、この応答をトリガしたメッセージのトランザクションＩＤを示すＲＲＣ完了メッセージを生成する。
【０００５】
ＬＴＥリリース８以降、ＳＲＢ０、ＳＲＢ１、ＳＲＢ２と呼ばれる３つのシグナリング無線ベアラ（ＳＲＢ）が、ＵＥとｅＮＢとの間のＲＲＣおよび非アクセス層（ＮＡＳ）メッセージの転送に利用可能になっている。ＳＲＢ１ｂｉｓとして知られる新しいＳＲＢもまた、ＮＢ−ＩｏＴにおけるＤｏＮＡＳ（ＮＡＳ上のデータ）をサポートするためにリリース１３で導入された。
【０００６】
ＳＲＢ０はＣＣＣＨ論理チャネルを使用してＲＲＣメッセージを搬送し、ＲＲＣ接続の設定、再開、再確立を処理するために使用される。ＵＥがｅＮＢに接続される（すなわち、ＲＲＣ接続セットアップまたはＲＲＣ接続再確立／再開が成功する）と、ＳＲＢ１は、ＳＲＢ２の確立に先立って、すべてＤＣＣＨ論理チャネルを使用して、さらなるＲＲＣメッセージ（ピギーバックされたＮＡＳメッセージを含み得る）およびＮＡＳメッセージを処理するために使用される。ＳＲＢ２は、記録された測定情報などのＲＲＣメッセージやＮＡＳメッセージを処理するために使用され、すべてＤＣＣＨを使用します。ＳＲＢ２はＳＲＢ１よりも優先度が低いが、これは、記録された測定情報やＮＡＳメッセージが長くなる可能性があり、より緊急性の高い、より小さいＳＲＢ１メッセージのブロッキングを引き起こす可能性があるためである。ＳＲＢ２は、セキュリティアクティベーション後にＥ−ＵＴＲＡＮによって常に構成される。
【０００７】
多くの通信プロトコルでは、２つの参加当事者（すなわち「ピア」）がそれぞれの能力に関する情報を交換する。これにより、各ピアは、他方のピアがサポートしていない能力を要求しないことを保証する。ＬＴＥでは、ＵＥ能力情報は、通常、ＬＴＥネットワークとの初期登録プロセス中に、ＵＥがサービングｅＮＢに送信するＲＲＣメッセージである。このＲＲＣメッセージは、ＵＥの能力のすべての詳細をネットワークに通知する。
【０００８】
ＬＴＥのＵＥ能力情報メッセージでは、ＵＥは、特定の特徴をサポートしているかどうかだけでなく、特定の周波数バンドで動作しているときにそのような特徴をサポートしているかどうかも示すことができる。言い換えれば、ＵＥは、１つまたは複数の周波数バンドで動作しているときは特定の特徴をサポートしているが、１つまたは複数の他の周波数バンドで動作しているときはサポートしていないことを示すことができる。さらに、ＵＥは、特定の複数の特徴をサポートしていることを示すことができるが、必ずしもそれらの組み合わせをサポートしているわけではない。
【０００９】
さらに、ＵＥは、サポートされているバンドの組み合わせを広告することができる。これらは、例えば、１つまたは複数のバンドの組み合わせを識別するBandCombinationList情報要素（ＩＥ）内で広告することができる。各広告されたバンド組合せは、ＵＥが、例えば、各バンド内の１つまたは複数のＲＦキャリアのキャリアアグリゲーション（ＣＡ）によって、動作中に結合することができる１つまたは複数のバンドを示す。さらに、ＵＥは、ＵＥがアグリゲーションすることができる各バンドの組み合わせ上の特定の特徴をサポートしているかどうかを示すことができる。ＬＴＥのリリースが進み、特徴が追加されるにつれて、ＵＥ能力情報メッセージは、最も長く複雑なＲＲＣメッセージの１つとなっている。
【００１０】
ＬＴＥは主にユーザ間の通信向けに設計されているが、５Ｇ（「ＮＲ」とも呼ばれる）セルラーネットワークは、単一ユーザの高速データレート（例えば１Ｇｂ／ｓ）と、周波数バンド幅を共有する多くの異なるデバイスからの短いバースト的な送信を含む大規模なマシンツーマシン通信と、の両方をサポートすることが想定されている。５Ｇ無線規格（「ニューラジオ」または「ＮＲ」とも呼ばれる）は、現在、ｅＭＢＢ（enhanced Mobile Broad Band）およびＵＲＬＬＣ（Ultra-Releliable Low Latency Communication）を含む幅広いデータサービスを対象としている。これらのサービスは、異なる要件や目的を持つことができる。例えば、ＵＲＬＬＣは、誤り確率が１０−５以下、エンドツーエンドレイテンシが１ｍｓ以下など、非常に厳しい誤りおよびレイテンシ要件を持つデータサービスを提供することを目的としている。ｅＭＢＢの場合、レイテンシと誤り確率に関する要件はそれほど厳しくないが、必要とされるサポートされるピークレートおよび／またはスペクトル効率は高くなる可能性がある。
【００１１】
ＮＲでは、ＵＥはＬＴＥの場合と同様に、その能力を広告する。例えば、ＵＥは、特定の特徴をサポートしているかどうかだけでなく、特定の周波数バンドで動作しているときにそのような特徴をサポートしているかどうかも示すことができる。言い換えれば、ＵＥは、１つまたは複数の周波数バンドで動作しているときは特定の特徴をサポートしているが、１つまたは複数の他の周波数バンドで動作しているときはサポートしていないことを示すことができる。また、ＬＴＥと同様に、ＵＥは、特定の複数の特徴をサポートしていることを示すことができるが、必ずしもそれらの組み合わせをサポートしているとは限らない。ＬＴＥとのさらなる類似性として、ＵＥは、例えばBandCombinationListＩＥを使用して、サポートされているバンドの組み合わせを広告することができる。さらに、このＩＥの一部として、ＵＥは、ＵＥがアグリゲーションすることができる各バンドの組み合わせの特定の特徴をサポートしているかどうかを示すことができる。
【００１２】
ただし、ＬＴＥとは異なり、このようなきめ細かな特徴のサポートを示すためのＮＲのＵＥ能力情報シグナリングは、BandCombinationListＩＥに直接埋め込まれていない。むしろ、ＮＲのＵＥ能力情報シグナリングは、バンドの組み合わせと特徴セットの組み合わせとに分割されており、これらはバンドに依存しないため、特定のバンドの組み合わせに関連付けることができる。この配置は、複数のバンドの組み合わせ（多数存在する可能性がある）が同じ特徴セットの組み合わせを指している場合、複数の特徴セットの組み合わせが同じ特徴セットを指している場合、および／または複数の特徴セットが同じＣＣあたりの特徴セットを指している場合、全体的なシグナリングのオーバーヘッドを削減する可能性がある。とはいえ、ＬＴＥで使用されている従来のアプローチと比較すると、この配置は、ＬＴＥの場合のように、将来のＮＲリリースで特徴が拡張された場合に困難になる可能性がある。
【発明の概要】
【００１３】
本明細書に開示される例示的な実施形態は、無線アクセスネットワーク（ＲＡＮ）において拡張可能なＵＥ能力を広告するための柔軟かつ効率的なアプローチを提供することによって、既存のソリューションのこれらの問題、課題、および／または欠点に対処する。そのような実施形態は、そのような拡張を認識および／またはサポートしないレガシーネットワークノードとの下位互換性を提供しながら、初期および／またはオリジナルの特徴セットへの拡張を広告するのに必要なオーバーヘッドを低減および／または最小化することができる。
【００１４】
本開示の例示的な実施形態は、無線アクセスネットワーク（ＲＡＮ）内のネットワークノードにユーザ装置（ＵＥ）能力を広告するための方法および／または手順を含む。例示的な方法および／または手順は、ＵＥまたは無線デバイスによって実行され得る。
【００１５】
例示的な方法および／または手順は、前記ＵＥによってサポートされる複数の特徴セットを記述した情報を前記ネットワークノードに送信することを含み得る。前記情報は、１つまたは複数のInitialFeatureListであって、各InitialFeatureListは１つまたは複数の非拡張可能なInitialFeatureSet要素を含み、各非拡張可能なInitialFeatureSet要素は１つまたは複数の初期特徴に対する前記ＵＥのサポートを示す、前記１つまたは複数のInitialFeatureListを含み得る。前記情報は、また、１つまたは複数のExtensionFeatureListであって、各ExtensionFeatureListは特定のInitialFeatureListに関連付けられており、各ExtensionFeatureListは１つまたは複数のExtensionFeatureSet要素を含み、各ExtensionFeatureSet要素は１つまたは複数の拡張特徴に対する前記ＵＥのサポートを示す、前記１つまたは複数のExtensionFeatureListを含み得る。
【００１６】
例示的な方法および／または手順は、また、１つまたは複数のBandCombination要素を前記ネットワークノードに送信することを含み得る。各BandCombination要素は、前記ＵＥが同時に情報を送信および／または受信可能である周波数バンドのリストを含み得る。各BandCombination要素は、また、前記リストに含まれる各周波数バンド内で前記ＵＥによってサポートされる複数の特徴を識別するFeatureSetCombination要素を含み得る。特定の周波数バンド内の識別される前記複数の特徴は、各InitialFeatureListからの特定のInitialFeatureSet要素と、各InitialFeatureListに関連付けられたExtensionFeatureListからの対応するExtensionFeatureSet要素と、に基づく。
【００１７】
いくつかの実施形態では、例示的な方法および／または手順は、また、構成を前記ネットワークノードから受信することを含み、前記構成は、１つまたは複数の周波数バンドの識別であって、識別される周波数バンドは特定の送信されたBandCombination要素に含まれるリストの一部である、前記１つまたは複数の周波数バンドの識別を含み得る。前記構成は、また、前記識別される周波数バンドの各々に対する、前記特定のBandCombination要素によって識別される１つまたは複数の特徴の構成を識別する。このようにして、ＵＥは、ネットワークノードに提供された能力情報に基づく構成を受信することができる。
【００１８】
いくつかの実施形態では、例示的な方法および／または手順は、また、受信された構成に従って、識別された周波数バンド内でネットワークノードとの間で情報を送信または受信することを含み得る。
【００１９】
本開示の例示的な実施形態はまた、ユーザ装置（ＵＥ）の能力を決定するための方法および／または手順を含む。そのような例示的な方法および／または手順は、無線アクセスネットワーク（ＲＡＮ）のネットワークノード（例えば、基地局、ｇＮＢ、ｅＮＢ、またはその構成要素）に実装し得る。
【００２０】
例示的な方法および／または手順は、ＵＥから、ＵＥによってサポートされる複数の機能セットを記述する情報を受信することを含み得る。情報は、１つまたは複数のInitialFeatureListを含み得、各InitialFeatureListは、１つまたは複数の非拡張可能なInitialFeatureSet要素を含み、各非拡張可能なInitialFeatureSet要素は、１つまたは複数の初期特徴に対するＵＥのサポートを示す。また、情報は、１つまたは複数のExtensionFeatureListを含み得、各ExtensionFeatureListは、特定のInitialFeatureListに関連付けられている。各ExtensionFeatureListは、１つまたは複数のExtensionFeatureSet要素を含み得、各ExtensionFeatureSet要素は、ＵＥが１つまたは複数の拡張特徴をサポートしていることを示す。
【００２１】
例示的な方法および／または手順は、また、ＵＥから１つまたは複数のBandCombination要素を受信することを含み得る。各BandCombination要素は、ＵＥが情報を同時に送信および／または受信することができる周波数バンドのリストを含み得る。各BandCombination要素はまた、リストに含まれる各周波数バンド内でＵＥによってサポートされる特徴を識別するFeatureSetCombination要素を含み得る。特定の周波数バンドに対する識別された特徴は、各InitialFeatureListからの特定のInitialFeatureSet要素と、各InitialFeatureListに関連付けられたExtensionFeatureListからの対応するExtensionFeatureSet要素とに基づき得る。
【００２２】
例示的な方法および／または手順は、受信された１つまたは複数のBandCombination要素と、ＵＥによってサポートされる複数の特徴セットを記述する受信された情報と、に基づいて、ＵＥの能力を決定することも含み得る。
【００２３】
いくつかの実施形態では、例示的な方法および／または手順はまた、１つまたは複数の周波数バンドの識別を含む構成をＵＥに送信することを含み得、識別された周波数バンドは、特定の送信されたBandCombination要素に含まれるリストの一部である。構成はまた、識別された周波数バンドのそれぞれについて、特定のBandCombination要素によって識別された１つまたは複数の特徴の構成を識別し得る。このようにして、ネットワークノードは、ネットワークノードに提供された能力情報に基づいた構成をＵＥに提供することができる。
【００２４】
いくつかの実施形態では、例示的な方法および／または手順はまた、送信された構成に従って、複数の周波数バンドでＵＥとの間で情報を送信または受信することを含み得る。
【００２５】
他の例示的な実施形態は、本明細書に記載された例示的な方法および／または手順に対応する動作を実行するように構成されたユーザ装置（ＵＥ、無線デバイス等またはその構成要素）およびネットワークノード（例えば、基地局、ｇＮＢ、ｅＮＢ等またはその構成要素）を含む。他の例示的な実施形態は、ＵＥまたはネットワークノードの少なくとも１つのプロセッサによって実行されると、本明細書に記載される例示的な方法および／または手順に対応する動作を実行するようにそのようなＵＥまたはネットワークノードを構成するプログラム命令を格納する、非一時的コンピュータ可読媒体を含む。
【００２６】
本開示のこれらおよび他の目的、特徴、および利点は、以下に簡単に説明する図面に照らし合わせて、以下の詳細な説明を読むと明らかになるであろう。
【図面の簡単な説明】
【００２７】
【図１】ＮＲネットワークのＵＥ能力シグナリングで使用可能なBandCombinationList情報要素（ＩＥ）を指定するために使用される例示的なＡＳＮ．１コードを示す図である。
【図２】ＮＲネットワークのＵＥ能力シグナリングで使用可能なFeatureSetsＩＥを指定するために使用される例示的なＡＳＮ．１コードを示す図である。
【図３】ＮＲネットワークのＵＥ能力シグナリングで使用可能なFeatureSetCombinationＩＥを指定するために使用されるＡＳＮ．１コードの例を示す図である。
【図４】本開示の例示的な実施形態に従った、ＮＲネットワークの拡張可能ＵＥ能力シグナリングで使用可能なFeatureSetsＩＥを指定するために使用される例示的なＡＳＮ．１コードを示す図である。
【図５】本開示の例示的な実施形態に従った、ＮＲネットワークの拡張可能ＵＥ能力シグナリングで使用可能なFeatureSetDownlinkＩＥを指定するために使用される例示的なＡＳＮ．１コードを示す図である。
【図６】本開示の例示的な実施形態に従った、ＮＲネットワークの拡張可能ＵＥ能力シグナリングで使用可能なFeatureSetUplinkPerCCＩＥを指定するために使用される例示的なＡＳＮ．１コードを示す図である。
【図７】本開示の例示的な実施形態に従った、ＮＲネットワークの拡張可能ＵＥ能力シグナリングで使用可能なUE-MRDC-CapabilityＩＥを指定するために使用される例示的なＡＳＮ．１コードを示す図である。
【図８Ａ】本開示の例示的な実施形態に従った、ＮＲネットワークの拡張可能ＵＥ能力シグナリングで使用可能なFeatureSetDownlinkIdＩＥを指定するために使用される例示的なＡＳＮ．１コードを示す図である。
【図８Ｂ】本開示の例示的な実施形態に従った、ＮＲネットワークの拡張可能ＵＥ能力シグナリングで使用可能なFeatureSetUplinkIdＩＥを指定するために使用される例示的なＡＳＮ．１コードを示す図である。
【図９】本開示の様々な例示的な実施形態に従った、ユーザ装置（ＵＥ）、無線デバイス、またはその構成要素によって実行される例示的な方法および／または手順を例示するフロー図である。
【図１０】本開示の様々な例示的な実施形態に従った、ネットワークノード（例えば、基地局、ｇＮＢ、ｅＮＢなど）またはその構成要素によって実行される例示的な方法および／または手順を例示するフロー図である。
【図１１】本明細書に記載される様々な側面に従った、無線ネットワークの例示的な実施形態を示す図である。
【図１２】本明細書に記載される様々な側面に従った、ＵＥの例示的な実施形態を示す図である。
【図１３】本明細書に記載されるネットワークノードの様々な実施形態の実装に使用可能な例示的な仮想化環境を示すブロック図である。
【図１４】本明細書に記載される様々な側面に従った、様々な例示的な通信システムおよび／またはネットワークのブロック図である。
【図１５】本明細書に記載される様々な側面に従った、様々な例示的な通信システムおよび／またはネットワークのブロック図である。
【図１６】本開示の様々な例示的な実施形態に従った、通信システムに実装される様々な例示的な方法および／または手順を示すフロー図である。
【図１７】本開示の様々な例示的な実施形態に従った、通信システムに実装される様々な例示的な方法および／または手順を示すフロー図である。
【図１８】本開示の様々な例示的な実施形態に従った、通信システムに実装される様々な例示的な方法および／または手順を示すフロー図である。
【図１９】本開示の様々な例示的な実施形態に従った、通信システムに実装される様々な例示的な方法および／または手順を示すフロー図である。
【発明を実施するための形態】
【００２８】
本明細書で企図されるいくつかの実施形態は、現在、添付の図面を参照してより詳細に記載される。他の実施形態は、しかしながら、本明細書に開示された主題の範囲内に含まれ、開示された主題は、本明細書に記載された実施形態のみに限定されるものとして解釈されるべきではなく、むしろ、これらの実施形態は、当業者に主題の範囲を伝えるために例示の形で提供される。さらに、以下の用語は、以下に与えられた説明全体を通して使用される：
・無線ノード：本明細書で使用されるように、「無線ノード」は、「無線アクセスノード」または「無線デバイス」のいずれかであり得る。
・無線アクセスノード：本明細書で使用されるように、「無線アクセスノード」（または「無線ネットワークノード」）は、無線で信号を送信および／または受信するように動作するセルラー通信ネットワークの無線アクセスネットワーク（ＲＡＮ）内の任意のノードであり得る。無線アクセスノードの例としては、基地局（例えば、３ＧＰＰ第５世代（５Ｇ）ＮＲネットワークのニューラジオ（ＮＲ）基地局（ｇＮＢ）、または３ＧＰＰのＬＴＥネットワークの強化型または進化型ノードＢ（ｅＮＢ））、高出力またはマクロ基地局、低出力基地局（例えば、マイクロ基地局、ピコ基地局、ホームｅＮＢなど）、および中継ノードが挙げられるが、これらに限定されるものではない。
・コアネットワークノード：本明細書で使用されるように、「コアネットワークノード」は、コアネットワーク内の任意のタイプのノードである。コアネットワークノードの例としては、例えば、モビリティ管理エンティティ（ＭＭＥ）、パケットデータネットワークゲートウェイ（Ｐ−ＧＷ）、サービス能力露出機能（ＳＣＥＦ）などが挙げられる。
・無線デバイス：本明細書で使用されるように、「無線デバイス」（略して「ＷＤ」）とは、ネットワークノードおよび／または他の無線デバイスと無線で通信することにより、セルラー通信ネットワークにアクセスする（すなわち、セルラー通信ネットワークによりサービスを受ける）あらゆるタイプのデバイスをいう。特に断りのない限り、「無線デバイス」という用語は、本明細書では、「ユーザ装置」（または略して「ＵＥ」）と互換的に使用される。無線デバイスのいくつかの例としては、３ＧＰＰネットワーク内のＵＥおよびマシンタイプ通信（ＭＴＣ）デバイスが挙げられるが、これらに限定されるものではない。無線通信は、電磁波、電波、赤外線、および／またはエアを介して情報を伝達するのに適した他のタイプの信号を使用して無線信号を送信および／または受信することを含み得る。
・ネットワークノード：本明細書で使用されるように、「ネットワークノード」は、無線アクセスネットワークまたはセルラー通信ネットワークのコアネットワークの一部である任意のノードである。機能的には、ネットワークノードは、無線デバイスおよび／またはセルラー通信ネットワーク内の他のネットワークノードまたは装置と直接的または間接的に通信し、無線デバイスへの無線アクセスを可能にし、および／または提供し、および／またはセルラー通信ネットワーク内の他の機能（例えば、管理）を実行することが可能であり、構成され、配置され、および／または動作可能な装置である。
【００２９】
本明細書で与えられた記述は、３ＧＰＰセルラー通信システムに焦点を当てており、３ＧＰＰ用語または３ＧＰＰ用語に類似した用語が一般的に使用されていることに注意されたい。しかしながら、本明細書に開示される概念は、３ＧＰＰシステムに限定されるものではない。広帯域符号分割多元接続（ＷＣＤＭＡ）、マイクロ波アクセスのための世界相互運用性（ＷｉＭＡＸ）、ウルトラモバイルブロードバンド（ＵＭＢ）、および移動体通信のためのグローバルシステム（ＧＳＭ）を含むがこれらに限定されない他の無線システムもまた、本明細書に記載されている概念、原則、および／または実施形態から利益を得ることができる。
【００３０】
さらに、無線デバイスまたはネットワークノードによって実行されるものとして本明細書に記載される機能および／または動作は、複数の無線デバイスおよび／またはネットワークノードに分散されてもよい。さらに、本明細書では「セル」という用語が使用されるが、（特に５Ｇ＿ＮＲに関して）ビームがセルの代わりに使用されてもよく、そのように、本明細書に記載された概念は、セルおよびビームの両方に等しく適用されることが理解されるべきである。
【００３１】
上で簡単に述べたように、微細な特徴のサポートを示すためのＮＲのＵＥ能力情報シグナリングは、ＬＴＥの場合のように、BandCombinationListＩＥに直接埋め込まれていない。むしろ、ＮＲのＵＥ能力情報シグナリングは、バンドの組み合わせと特徴セットの組み合わせとに分割されており、これらはバンドに依存せず、任意の特定のバンドの組み合わせに関連付けることができる。この配置により、複数のバンドの組み合わせ（多数存在する可能性がある）が同じ特徴セットの組み合わせを指している場合、複数の特徴セットの組み合わせが同じ特徴セットを指している場合、および／または複数の特徴セットが同じＣＣごとの特徴セットを指している場合、全体的なシグナリングのオーバーヘッドが削減される可能性がある。とはいえ、ＬＴＥで使用されている従来のアプローチと比較すると、この配置は、ＬＴＥの場合のように、将来のＮＲリリースで特徴を拡張する場合には困難になる可能性がある。この点については、以下で詳しく説明する。
【００３２】
図１は、ＮＲネットワークで使用可能なBandCombinationListＩＥを指定するために使用される例示的なＡＳＮ．１コードを示している。図１に示すように、BandCombinationListＩＥは、一連のBandCombination要素を含み、それぞれが、ＵＥがＮＲまたはＬＴＥキャリアアグリゲーション（ＣＡ）、および／またはＬＴＥ／ＮＲデュアルコネクティビティ（例えば、ＥＮ−ＤＣ）をサポートすることができる特定のバンドの組み合わせを表している。各BandCombination要素はさらに、特定の組み合わせを構成するバンドのリスト、および特定の組み合わせに関連するBandCombinationParametersを示す。ＮＲに関連するパラメータに加えて、BandCombinationParametersは、その特定のバンドの組み合わせに対するＬＴＥサポートおよびＤＣサポートに関連するパラメータを含むこともできる。
【００３３】
各バンドの組み合わせに関連する特定の特徴をBandCombinationListＩＥで直接指定する代わりに、ＮＲ＿ＵＥは、FeatureSetsＩＥを送信することで、そのような特徴を広告する。FeatureSetsＩＥは、FeatureSetCombination要素のプールと同様に、ダウンリンク（ＤＬ）およびアップリンク（ＵＬ）特徴セットのプールを提供するために使用される。図２は、ＮＲネットワークで使用可能なFeatureSetsＩＥを指定するために使用される例示的なＡＳＮ．１コードを示している。図２に示すように、FeatureSetsＩＥは、バンド内のＵＥによってサポートされるＤＬおよびＵＬ特徴のセットのシーケンスをそれぞれ指定するfeatureSetDownlinkおよびfeatureSetUplink要素を含む。例えば、featureSetsDownlinkは、ＤＬ特徴のセットであるFeatureSetDownlinkの（例えば、１つ以上の）シーケンスである。しかしながら、FeatureSetsＩＥは、指示されたＤＬおよびＵＬ特徴のセットを特定のバンドに関連付けるものではないことに注意されたい。これらの特徴セットを特定のバンドに関連付けるメカニズムについては、以下でさらに説明する。
【００３４】
図２にも示すように、FeatureSetsＩＥは、バンド内のコンポーネントキャリア（ＣＣ）に対してＵＥによってサポートされるＤＬおよびＵＬ特徴のセットのシーケンスをそれぞれ指定するfeatureSetDownlinkPerCCおよびfeatureSetUplinkPerCC要素も含む。ただし、FeatureSetsＩＥは、指定されたＤＬおよびＵＬのｐｅｒ−ＣＣ特徴のセットを特定のバンドに関連付けるものではないことに注意されたい。これらの特徴セットを特定のバンドに関連付けるメカニズムについては、以下でさらに説明する。
【００３５】
図２に示すように、FeatureSetsＩＥには、featureSetCombinations要素も含まれている。この要素は、FeatureSetCombinationＩＥのシーケンスを指定し、それぞれが特定のバンドの組み合わせに関連付けることができる。図３は、ＮＲネットワークで使用可能なFeatureSetCombinationＩＥを指定するために使用される例示的なＡＳＮ．１コードを示す。すなわち、図３は、図２に示したfeatureSetCombinations要素によって特定される各FeatureSetCombinationの構造を示している。
【００３６】
図３に示すように、FeatureSetCombinationＩＥは、FeatureSetsPerBandのリストおよび／またはシーケンスを含み、それぞれは、バンド組合せの特定のバンドのキャリアに関連付けることができる特徴のセットのシーケンスを識別する。シーケンス内の各セットは、ＵＥがサポートされる複数の特徴セットオプションを示すことができるように、代替手段またはオプションとみなすことができる。これらの特徴セットの各々は、図３にも示されているように、FeatureSetsＩＥによって指定される。言い換えれば、FeatureSetCombinationは、バンドの組み合わせごとに列を持ち、サポートされた特徴の組み合わせごとに行を持つ、FeatureSetエントリの２次元行列と考えることができる。１つのFeatureSetCombination内のすべてのFeatureSetsPerBandは、同じ数のエントリを有することが望ましい。FeatureSetCombination内のFeatureSetsPerBandの数は、関連するバンドの組み合わせのバンドエントリ数と同じでなければならない。最初のFeatureSetPerBandは、バンド組合せの最初のバンドエントリに適用される。
【００３７】
各FeatureSet要素は、他の場所で指定された特定のＤＬおよびＵＬ特徴セットへの一対のポインタを含む。ＮＲキャリアの場合、例えば、downlinkSetNRは、図２に示されたシーケンスfeatureSetsDownlink内のエントリの識別（例えば、ポインタ）である。同様に、upinkSetNRは、図２に示すシーケンスfeatureSetsUplinkのエントリの識別である。同様に、ＬＴＥ／Ｅ−ＵＴＲＡキャリアの場合、downlinkSetEUTRAおよびuplinkSetEUTRAは、ＬＴＥ用に定義された特徴セットリスト（例えば、３ＧＰＰ  ＴＳ  ３６．３３１  ｖ．１５．１．０）の各エントリを識別する。
【００３８】
図１に戻ると、BandCombinationListＩＥの各BandCombinationエントリはまた、図２に示すFeatureSetsＩＥのfeatureSetCombinations要素に含まれる特定のFeatureSetCombinationへのポインタ（すなわち、FeatureCombinationSetID）を含む。このようにして、ＮＲのＵＥ能力シグナリングは、バンド組合せと特徴セット組合せに分割され、これらは、任意の特定のバンド組合せに関連付けることができるように、バンドに依存しない。
【００３９】
将来、予想されるように、新しいＵＥ関連の特徴が標準化される場合、これらの特徴のサポートを広告するためにＵＥが使用するさまざまな要素に対応する能力シグナリングを追加することが必要になる。これには、図２のFeatureSetsＩＥを構成するFeatureSetDownlink、FeatureSetUplink、FeatureSetDownlinkPerCC、およびFeatureSetUplinkPerCCの特徴セット定義（「データ構造」とも呼ばれる）が含まれる。しかし、これらのデータ構造は、レガシーｇＮＢによって理解される特定の順序と長さを持つそれぞれのリストでインスタンス化され、送信される。
【００４０】
１つのオプションは、特徴セット定義に、いわゆる「拡張マーカー」を追加することである。これらの拡張マーカーの長さは２４ビット（例えば、３オクテットまたは３バイト）とすることができ、これは受信側のネットワークノード（例えば、ｇＮＢ）にデータ構造の残りの長さを示すために必要であるが、これは非常に長くなる可能性がある。事実上、この長さにより、新しい能力ビットを理解していない「レガシー」ネットワークノードは、それらのビットを「ジャンプ」して、リストの次の能力セットを解析し続けることが可能になる。しかし、このようなオーバーヘッドは、数百、あるいは数千のエントリを持つリストでは実現不可能であり、それぞれが新しい能力で拡張される可能性がある。
【００４１】
上述したように、実際の特徴セットを拡張する代わりに、本開示の例示的な実施形態では、拡張された特徴セットの新しいリストを作成し、それらの新しいリスト（または拡張リスト）の各々をそれぞれの元のリストに関連付けることによって、これらの拡張性の課題に対処する。言い換えれば、その拡張リスト内の要素の各々は、両方のリスト内の要素が同じＩＤによって識別され得るように、元のリスト内の要素に関連付けられており、これは、FeatureSetCombinationＩＥで指定され得る。したがって、このように特徴を拡張する場合でも、FeatureSetCombinationＩＥの構造は変更されない。同様に、BandCombinationListＩＥ内の各BandCombinationは、それぞれのＩＤ（例えば、FeatureSetsＩＥのfeatureSetCombinations要素内のそれぞれの位置）によって、１つまたは複数のFeatureSetCombinationsのサポートを示すことができる。特徴拡張を追加する際にFeatureSetCombinationsのＩＤを変更する必要はないので、結果的にBandCombinationListＩＥで使用されるBandCombination要素の構造を変更する必要はない。
【００４２】
例えば、（例えば、リリース１６からの）新しい特徴を識別するFeatureSetDownlink-r16拡張リストは、元の特徴のFeatureSetDownlinkリストに関連付けることができる。ＵＥが（例えば、FeatureSetCombinationＩＥ内のポインタまたは識別子によって）拡張に関連付けられた特定の特徴セットを広告する場合、ＵＥは、その特徴セットの元のリストと拡張リストの両方をサポートしていることを示す。例えば、ＵＥが、ＩＤ＝５（例えば、featureSetsDownlinkによって示されるリストの５番目の位置）のFeatureSetDownlinkの特徴をサポートしていることをFeatureSetCombinationで示す場合、それは、ＩＤ＝５（例えば、対応する拡張リストの５番目の位置）に関連付けられたFeatureSetDownlink-r16の特徴もサポートしていることを暗示している。
【００４３】
このような例示的な実施形態では、FeatureSetCombinationＩＥにおける特徴セット広告のネットワークの解釈は、ネットワークが特定の元の特徴セットに関連付けられた拡張リストをサポートしているかどうかに依存する。例えば、ＵＥが、ＩＤ＝５のFeatureSetDownlinkをサポートしていることをFeatureSetCombinationで示している場合、ネットワークノードは、ネットワークノードがこれらの拡張に関連付けられたリリースをサポートしている限り、ＵＥがＩＤ＝５に関連付けられたFeatureSetDownlink-r16の拡張もサポートしていると解釈する。一方、ネットワークノードがこれらの拡張に関連付けられたリリースをサポートしないレガシーノードである場合、ネットワークノードは、ＵＥが特定のFeatureSetDownlinkによって示されたオリジナルの特徴のみをサポートしていると、FeatureSetCombinationから解釈する。これは、上述の方法で「拡張マーカー」を追加することで容易になる。言い換えれば、ネットワークノードは、それが理解できないFeatureSetDownlink-r16を無視する。
【００４４】
同様のアプローチは、ＣＣごとの特徴についても使用できる。例えば、ＵＥがリリース１５．４．０で指定されたＣＣあたりのアップリンク拡張をサポートしていると仮定する。ＵＥが、FeatureSetUplinkのfeatureSetListPerUplinkCCにおいて、ＩＤ＝７のFeatureSetUplinkPerCCの特徴（例えば、featureSetsUplinkPerCCによって示されるリストの７番目の位置）をサポートしていることを示す場合、それは、ＩＤ＝７に関連付けられたFeatureSetUplinkPerCC-v1540の特徴（例えば、対応する拡張リストの７番目の位置）もサポートしていることを暗示している。
【００４５】
従来のアプローチとは異なり、本開示の例示的な実施形態では、リストを構成する各特徴セット要素ごとに１つではなく、リストごとに（例えば、新しいリストを追加するために）１つのＡＳＮ．１「拡張マーカー」を必要とするだけである。このようにして、例示的な実施形態は、有利には、そのような拡張をサポートしないレガシーネットワークノードとの後方互換性を有する。このように、これらのレガシーノードは、「拡張マーカー」に基づいて、特徴セットの拡張を無視することができる。例示的な実施形態のさらなる利点は、広告に使用される高レベルのFeatureSetCombinationおよびBandCombinationListＩＥに必要な変更がないことを含み、それらのＩＥは依然としてＣＣあたりの特徴セットおよび特徴セットの同じＩＤを参照しているためである。
【００４６】
図４は、本開示の例示的な実施形態に従った、ＮＲネットワークにおける拡張可能なＵＥ能力シグナリングに使用可能なFeatureSetsＩＥを指定するために使用される例示的なＡＳＮ．１コードを示す。図２に示す従来のＡＳＮ．１コードによって指定された要素に加えて、図４に示すFeatureSetsＩＥは、２つの追加要素を含む。第１の要素であるfeatureUplinkPerCC-v1540は、ＣＣあたりのアップリンク機能セットの拡張リストを含む。このリストの各エントリは、元のリストであるfeaturesUplinkPerCCの対応するエントリに関連付けられている。言い換えれば、各拡張FeatureSetUplinkPerCC-v1540は、対応する元のFeatureSetUplinkPerCCに関連付けられている。
【００４７】
これは、本開示の例示的な実施形態に従った、ＮＲネットワークにおける拡張可能なＵＥ能力シグナリングのために使用可能なFeatureSetUplinkPerCCＩＥを指定するために使用される例示的なＡＳＮ．１コードを示す図６にさらに示されている。図６に示すように、FeatureSetUplinkPerCCＩＥは、個々のＵＬ＿ＣＣに関連付けられる様々な特徴のサポート（または非サポート）を示すために使用されるパラメータを含む。同様に、図６はまた、関連するFeatureSetUplinkPerCC-v1540ＩＥを示しており、このＩＥは、様々な拡張特徴のサポート（または非サポート）を示すために使用される追加のパラメータを含む（「ｎｅｗ．．．Ｆｅａｔｕｒｅ１」などのラベルが付けられている）。
【００４８】
図４の第２の追加要素であるfeaturesDownlink-v16は、個々のダウンリンクバンドに関連付けることができる特徴の拡張リストからなる。このリストの各エントリは、元のリストであるfeaturesDownlinkの対応するエントリに関連付けられている。言い換えれば、各拡張FeatureSetDownlink-v16は、対応する元のFeatureSetDownlinkに関連付けられている。
【００４９】
これは、本開示の例示的な実施形態に従った、ＮＲネットワークにおける拡張可能なＵＥ能力シグナリングのために使用可能なFeatureSetDownlinkＩＥを指定するために使用される例示的なＡＳＮ．１コードを示す図５にさらに示されている。図５に示すように、FeatureSetDownlinkＩＥは、個々のバンドに関連付けることができる様々なＤＬ特徴のサポート（または非サポート）を示すために使用されるパラメータを含む。同様に、図５はまた、関連付けられたFeatureSetDownlink-v16ＩＥを示しており、このＩＥは、様々な拡張特徴のサポート（または非サポート）を示すために使用される追加のパラメータを含む（「ｎｅｗ．．．Ｆｅａｔｕｒｅ１」などのラベルが付けられている）。
【００５０】
さらに、図５に示すFeatureSetDownlinkＩＥは、FeatureSetDownlinkPerCCで指定されたＣＣ毎（またはセル毎）にサポートされた特徴を識別するfeatureSetListPerDownlinkCCを含む。特に、featureSetListPerDownlinkCCは、FeatureSetDownlinkPerCC-Idのシーケンスであり、それぞれが特定のFeatureSetDownlinkPerCCを指し、ＣＣまたはセルごとにサポートされている対応するFeatureSetUplinkPerCC-v1540を指している。例えば、ＩＤ値が７であれば、両方のリストの中で７番目の特徴セットを指す。これは、上述したＣＣごとのアップリンク特徴のサポートを示す技術と実質的に同じである。
【００５１】
図７は、本開示の例示的な実施形態に従った、ＮＲネットワークにおける拡張可能なＵＥ能力シグナリングのために使用可能なUE-MRDC-CapabilityＩＥを指定するために使用される例示的なＡＳＮ．１コードを示す。特に、例示的なUE-MRDC-Capabilityは、FeatureSetCombinations要素のシーケンスまたはリストであるfeatureSetCombinationsＩＥを含む。図３に示すように、各FeatureSetCombination要素は、ポインタFeatureSetDownlinkIdおよびFeatureSetUplinkIdを含むFeatureSet要素の配列を含む。図８Ａおよび図８Ｂは、それぞれ、FeatureSetDownlinkIdおよびFeatureSetUplinkIdＩＥを指定するために使用される例示的なＡＳＮ．１コードを示す。上述したように、FeatureSetDownlinkIdは、FeatureSets（例えば、図４）で定義された初期ダウンリンク特徴と拡張ダウンリンク特徴の両方を指し、一方、FeatureSetUplinkIdは、FeatureSetsで定義された初期アップリンク特徴と拡張アップリンク特徴の両方を指している。
【００５２】
図４〜図８のＡＳＮ．１コードによって例示された様々な例示的な実施形態は、それぞれ図１および図３に例示された従来のBandCombinationListおよびFeatureSetCombinationＩＥと一緒に使用することができる。このように、特徴拡張は、そのような拡張をサポートするネットワークノードが理解できる方法でシグナリングすることができ、同時に、そのような特徴拡張を認識しないレガシーネットワークノードとの後方互換性を維持することができる。
【００５３】
別の言い方をすれば、FeatureSetsＩＥで識別された特定のFeatureSetCombinationの意味は、ＵＥが拡張リストから要素（例えば、新しい特徴）を広告するときに変化する。BandCombinatListＩＥのBandCombination要素でこの特定のFeatureSetCombinationを識別するために同じＩＤが使用されるが、結果としてBandCombination要素の意味も変化する。そうであっても、元の特徴リストの構造を変更する必要はない。したがって、例示的な実施形態は、特徴拡張を理解していないレガシーネットワークノードによって理解可能である。
【００５４】
図９は、本開示の様々な例示的な実施形態に従った、無線アクセスネットワーク（ＲＡＮ）内のネットワークノードにユーザ装置の特徴を広告するための例示的な方法および／または手順を示すフロー図である。例示的な方法および／または手順は、本明細書の他の図に示されているか、または他の図に関連して説明されているユーザ装置（ＵＥ、無線デバイスなど、またはその構成要素）に実装され得る。さらに、図９に示された例示的な方法および／または手順は、本明細書に記載された様々な例示的な利点を提供するために、本明細書に記載された他の例示的な方法および／または手順（例えば、図１０）と共に利用することができる。図９は、特定の順序でブロックを示しているが、この順序は単なる例示的なものであり、例示的な方法および／または手順の動作は、示されている順序とは異なる順序で実行することができ、示されている順序とは異なる機能を有するブロックに組み合わせることができ、および／または分割することができる。任意の動作は破線で示される。
【００５５】
例示的な方法および／または手順は、ブロック９１０の動作を含むことができ、ここで、ＵＥは、ＵＥによってサポートされる複数の特徴セットを記述する情報をネットワークノードに送信することができる。情報は、１つまたは複数のInitialFeatureListを含むことができ、各InitialFeatureListは、１つまたは複数の非拡張可能なInitialFeatureSet要素を含み、各非拡張可能なInitialFeatureSet要素は、１つまたは複数の初期特徴に対するＵＥのサポートを示す。また、情報は、１つまたは複数のExtensionFeatureListを含むことができ、各ExtensionFeatureListは、特定のInitialFeatureListに関連付けられている。各ExtensionFeatureListは、１つまたは複数のExtensionFeatureSet要素を含むことができ、各ExtensionFeatureSet要素は、ＵＥが１つまたは複数の拡張特徴をサポートしていることを示す。いくつかの実施形態では、１つまたは複数のInitialFeatureListは、ダウンリンク動作に関連付けられた第１のInitialFeatureListと、アップリンク動作に関連付けられた第２のInitialFeatureListとを含むことができる。
【００５６】
いくつかの実施形態では、ExtensionFeatureListの特定の位置にあるExtensionFeatureSetは、InitialFeatureListの同じ特定の位置にあるInitialFeatureSetに対応し得る。いくつかの実施形態では、各InitialFeatureSet要素および関連するExtensionFeatureSet要素は、周波数バンド全体に関してＵＥによってサポートされる特徴を識別することができる。そのような実施形態では、各InitialFeatureSet要素はまた、特定の周波数バンド内の個々の構成キャリアに関してＵＥによってサポートされる特徴を識別することができる。
【００５７】
いくつかの実施形態では、複数の特徴を記述する情報は、他の図に関連して上述したように、様々な要素を含むFeatureSetsＩＥであり得る。そのような実施形態では、InitialFeatureSet要素のInitialFeatureListは、FeatureSetDownlink要素のFeatureSetsDownlinkリスト、FeatureSetUplink要素のFeatureSetsUplinkリストなどを含むことができる。同様に、そのような実施形態では、ExtensionFeatureSet要素のExtensionFeatureListは、FeatureSetDownlink-r16要素のfeatureSetsDownlink-r16リストと、対応するFeatureSetUplink-r16要素のfeatureSetsUplink-r16リストとを含むことができる。
【００５８】
例示的な方法および／または手順はまた、ブロック９２０の動作を含むことができ、ここで、ＵＥは、１つまたは複数のBandCombination要素をネットワークノードに送信することができる。各BandCombination要素は、ＵＥが情報を同時に送信および／または受信することができる周波数バンドのリストを含むことができる。各BandCombination要素はまた、リストに含まれる各周波数バンド内でＵＥによってサポートされる特徴を識別するFeatureSetCombination要素を含むことができる。特定の周波数バンド内でＵＥによってサポートされる特徴は、各InitialFeatureListからの特定のInitialFeatureSet要素と、各InitialFeatureListに関連付けられたExtensionFeatureListからの対応するExtensionFeatureSet要素とに基づいてもよい。
【００５９】
いくつかの実施形態では、FeatureSetCombination要素は、周波数バンドのリストに含まれる各特定の周波数バンドのための１つまたは複数のFeatureSetIdentifierを含むことができる。さらに、各FeatureSetIdentifierは、特定のInitialFeatureListおよびその特定の周波数バンドのための関連するExtensionFeatureListに関連することができる。さらに、各FeatureSetIdentifierは、関連するInitialFeatureListから特定のInitialFeatureSet要素を識別し、関連するExtensionFeatureListから対応するExtensionFeatureSet要素を識別することができる。いくつかの実施形態では、特定の周波数バンドごとに、１つまたは複数のFeatureSetIdentifierは、ダウンリンク動作に関連付けられた第１のFeatureSetIdentifierと、アップリンク動作に関連付けられた第２のFeatureSetIdentifierとを含むことができる。
【００６０】
例えば、１つまたは複数のBandCombination要素は、図１に関連して上述したようなBandCombinationListＩＥとして送信することができる。この場合、このＩＥのBandCombination要素は、図１に関連して上述したようなFeatureSetCombinationID要素を含むことができる。さらに、これは、図７に関連して上述したような、FeatureSetCombinationのリストの中の特定のFeatureSetCombinationを指すことができる。識別されたFeatureSetCombinationは、例えば、（図３に関連して上述したような）様々なFeatureSet要素を含むことができ、それぞれが、初期特徴セットおよび拡張特徴セットの両方を識別するFeatureSetDownlinkId要素およびFeatureSetUplinkId要素を含むことができる（例えば、図２に示されたリスト内）。
【００６１】
いくつかの実施形態では、例示的な方法および／または手順はまた、ブロック９３０の動作を含むことができ、ここで、ＵＥは、ネットワークノードから、識別された周波数バンドが（例えば、ブロック９２０で送信された）特定の送信されたBandCombination要素に含まれるリストの一部である、１つまたは複数の周波数バンドの識別を含む構成を受信することができる。構成はまた、識別された周波数バンドのそれぞれについて、特定の送信されたBandCombination要素によって識別された１つまたは複数の特徴の構成を含むことができる。いくつかの実施形態では、受信した構成は、デュアルコネクティビティ（ＤＣ）またはキャリアアグリゲーション（ＣＡ）動作のための複数の周波数バンドを識別する。このようにして、ＵＥは、ブロック９１０〜９２０においてネットワークノードに提供された情報に基づくＤＣまたはＣＡ構成を受信することができる。
【００６２】
いくつかの実施形態では、受信された構成は、それぞれの識別された周波数バンドに関連付けられたInitialFeatureSet要素によって示される特徴のみを含むことができる。他の実施形態では、受信した構成は、識別されたそれぞれの周波数バンドに関連付けられたInitialFeatureSet要素および対応するExtensionFeatureSet要素の両方によって示される特徴を含むことができる。
【００６３】
いくつかの実施形態では、例示的な方法および／または手順はまた、ブロック９４０の動作を含むことができ、ここで、ＵＥは、受信された構成に従って（例えば、ブロック９３０において）識別された周波数バンド内のネットワークノードとの間で情報を送信または受信することができる。
【００６４】
図１０は、本開示の様々な例示的な実施形態に従った、ユーザ装置（ＵＥ）の能力を決定するための例示的な方法および／または手順を示すフロー図である。例えば、例示的な方法および／または手順は、本明細書の他の図に示されているか、または他の図に関連して説明されているような無線アクセスネットワーク（ＲＡＮ）のネットワークノード（例えば、基地局、ｇＮＢ、ｅＮＢなど、またはそれらの構成要素）において実施することができる。さらに、図１０に示された例示的な方法および／または手順は、本明細書に記載された様々な例示的な利点を提供するために、本明細書に記載された他の例示的な方法および／または手順（例えば、図９）と共に利用することができる。図１０は、特定の順序でブロックを示しているが、この順序は単なる例示的なものであり、例示的な方法および／または手順の動作は、示されている順序とは異なる順序で実行することができ、示されている順序とは異なる機能を有するブロックに組み合わせることができ、および／または分割することができる。オプションの動作は破線で表される。
【００６５】
例示的な方法および／または手順は、ブロック１０１０の動作を含むことができ、ここで、ネットワークノードは、ＵＥから、ＵＥによってサポートされる複数の特徴セットを記述する情報を受信することができる。情報は、１つまたは複数のInitialFeatureListを含むことができ、各InitialFeatureListは、１つまたは複数の非拡張可能なInitialFeatureSet要素を含み、各非拡張可能なInitialFeatureSet要素は、１つまたは複数の初期特徴に対するＵＥのサポートを示す。また、情報は、１つまたは複数のExtensionFeatureListを含むことができ、各ExtensionFeatureListは、特定のInitialFeatureListに関連付けられている。各ExtensionFeatureListは、１つまたは複数のExtensionFeatureSet要素を含むことができ、各ExtensionFeatureSet要素は、ＵＥが１つまたは複数の拡張特徴をサポートしていることを示す。いくつかの実施形態では、１つまたは複数のInitialFeatureListは、ダウンリンク動作に関連付けられた第１のInitialFeatureListと、アップリンク動作に関連付けられた第２のInitialFeatureListとを含むことができる。
【００６６】
いくつかの実施形態では、ExtensionFeatureListの特定の位置にあるExtensionFeatureSetは、InitialFeatureListの同じ特定の位置にあるInitialFeatureSetに対応し得る。いくつかの実施形態では、各InitialFeatureSet要素および関連するExtensionFeatureSet要素は、周波数バンド全体に関してＵＥによってサポートされる特徴を識別することができる。そのような実施形態では、各InitialFeatureSet要素はまた、特定の周波数バンド内の個々の構成キャリアに関してＵＥによってサポートされる特徴を識別することができる。
【００６７】
いくつかの実施形態では、複数の特徴を記述する情報は、他の図に関連して上述したように、様々な要素からなるFeatureSetsＩＥであり得る。そのような実施形態では、InitialFeatureSet要素のInitialFeatureListは、FeatureSetDownlink要素のFeatureSetsDownlinkリスト、FeatureSetUplink要素のFeatureSetsUplinkリストなどを含むことができる。同様に、そのような実施形態では、ExtensionFeatureSet要素のExtensionFeatureListは、FeatureSetDownlink-r16要素のfeatureSetsDownlink-r16リストと、対応するFeatureSetUplink-r16要素のfeatureSetsUplink-r16リストと、を含むことができる。
【００６８】
例示的な方法および／または手順はまた、ブロック１０２０の動作を含むことができ、ここで、ネットワークノードは、ＵＥから、１つまたは複数のBandCombination要素を受信することができる。各BandCombination要素は、ＵＥが情報を同時に送信および／または受信することができる周波数バンドのリストを識別することができる。各BandCombination要素はまた、リストに含まれる各周波数バンド内でＵＥによってサポートされる特徴を識別するFeatureSetCombination要素を含むことができる。特定の周波数バンド内でＵＥによってサポートされる特徴は、各InitialFeatureListからの特定のInitialFeatureSet要素と、各InitialFeatureListに関連付けられたExtensionFeatureListからの対応するExtensionFeatureSet要素とに基づいてもよい。
【００６９】
いくつかの実施形態では、FeatureSetCombination要素は、周波数バンドのリストに含まれる各特定の周波数バンドのための１つまたは複数のFeatureSetIdentifierを含むことができる。さらに、各FeatureSetIdentifierは、特定のInitialFeatureListおよびその特定の周波数バンドのための関連するExtensionFeatureListに関連することができる。さらに、各FeatureSetIdentifierは、関連するInitialFeatureListから特定のInitialFeatureSet要素を識別し、関連するExtensionFeatureListから対応するExtensionFeatureSet要素を識別することができる。いくつかの実施形態では、特定の周波数バンドごとに、１つまたは複数のFeatureSetIdentifierは、ダウンリンク動作に関連付けられた第１のFeatureSetIdentifierと、アップリンク動作に関連付けられた第２のFeatureSetIdentifierとを含むことができる。
【００７０】
例えば、１つまたは複数のBandCombination要素は、図１に関連して上述したようなBandCombinationListＩＥとして受け取ることができる。この場合、このＩＥのBandCombination要素は、図１に関連して上述したようなFeatureSetCombinationID要素を含むことができる。さらに、これは、図７に関連して上述したような、FeatureSetCombinationのリストの中の特定のFeatureSetCombinationを指すことができる。識別されたFeatureSetCombinationは、（例えば、図３に関連して上述したような）様々なFeatureSet要素を含むことができ、それぞれが、初期特徴セットおよび拡張特徴セットの両方を識別するFeatureSetDownlinkId要素およびFeatureSetUplinkId要素を含むことができる（例えば、図２に示すリスト内）。
【００７１】
例示的な方法および／または手順はまた、ブロック１０３０の動作を含むことができ、ここで、ネットワークノードは、受信された１つまたは複数のBandCombination要素と、ＵＥによってサポートされる複数の特徴セットを記述する受信情報とに基づいて、ＵＥの能力を決定することができる。例えば、ネットワークノードは、ＵＥから受信したBandCombinationListＩＥおよびFeatureSetsＩＥを解析することによってＵＥの能力を決定することができる。
【００７２】
いくつかの実施形態では、ブロック１０３０の動作は、サブブロック１０３２の動作を含むことができ、ここで、ネットワークノードは、受信した各特定のBandCombination要素について、特定のBandCombination要素によって識別されるそれぞれのExtensionFeatureSet要素をサポートしているかどうかを決定することができる。そのような実施形態はまた、サブブロック１０３４の動作を含むことができ、ここで、ネットワークノードは、ネットワークノードがサポートしていない各特定のExtensionFeatureSet要素について、関連するInitialFeatureSet要素によって記述された特徴に基づきかつ特定のExtensionFeatureSet要素によって記述された特徴には基づかずにＵＥの能力を決定することができる。例えば、ネットワークノードが、ExtensionFeatureSetに関連付けられた拡張に対応するリリースをサポートしないレガシーノードである場合、ネットワークノードは、受信した情報を解析している間に「拡張マーカー」に遭遇したときに、ExtensionFeatureSet要素を「スキップ」することができる。
【００７３】
そのような実施形態はまた、サブブロック１０３６の動作を含むことができ、ここで、ネットワークノードがサポートする各特定のExtensionFeatureSet要素について、ネットワークノードは、関連付けられたInitialFeatureSet要素によって記述された特徴と、特定のExtensionFeatureSet要素によって記述された特徴とに基づいて、ＵＥの能力を決定することができる。
【００７４】
いくつかの実施形態では、例示的な方法および／または手順はまた、ブロック１０４０の動作を含むことができ、ここで、ネットワークノードは、識別された周波数バンドが（例えば、ブロック１０２０で受信された）特定の受信BandCombination要素に含まれるリストの一部である、１つまたは複数の周波数バンドの識別を含む構成をＵＥに送信することができる。構成はまた、識別された周波数バンドのそれぞれについて、特定の受信されたBandCombination要素によって識別された１つまたは複数の特徴の構成を含むことができる。いくつかの実施形態では、送信された構成は、デュアルコネクティビティ（ＤＣ）またはキャリアアグリゲーション（ＣＡ）動作のための複数の周波数バンドを識別する。このようにして、ネットワークノードは、ブロック１０１０〜１０２０においてＵＥから受信した情報に基づくＤＣまたはＣＡ構成をＵＥに提供することができる。
【００７５】
いくつかの実施形態では、送信された構成は、それぞれの識別された周波数バンドに関連付けられたInitialFeatureSet要素によって示される特徴のみを含むことができる。他の実施形態では、送信される構成は、識別されたそれぞれの周波数バンドに関連付けられたInitialFeatureSet要素および対応するExtensionFeatureSet要素の両方によって示される特徴を含むことができる。
【００７６】
いくつかの実施形態では、例示的な方法および／または手順はまた、ブロック１０５０の動作を含むことができ、ここで、ネットワークノードは、送信された構成に従って複数の周波数バンドのＵＥとの間で情報を送信または受信することができる（例えば、ブロック１０４０）。
【００７７】
本明細書に記載された主題は、任意の適切な構成要素を使用して任意の適切なタイプのシステムで実装されてもよいが、本明細書に開示された実施形態は、図１１に図示された例示的な無線ネットワークのような無線ネットワークに関連して記載されている。単純化のために、図１１の無線ネットワークは、ネットワーク１１０６、ネットワークノード１１６０および１１６０ｂ、およびＷＤ１１１０、１１１０ｂ、および１１１０ｃのみを図示している。実際には、無線ネットワークは、無線デバイス間の通信、または無線デバイスと固定電話、サービスプロバイダ、または任意の他のネットワークノードまたはエンドデバイスなどの他の通信デバイスとの間の通信をサポートするのに適した任意の追加要素をさらに含んでもよい。図示された構成要素のうち、ネットワークノード１１６０および無線デバイス（ＷＤ）１１１０がさらに詳細に描かれている。無線ネットワークは、無線デバイスの無線ネットワークによって提供されるサービスへのアクセスおよび／または無線ネットワークを介したサービスの使用を容易にするために、通信および他のタイプのサービスを１つ以上の無線デバイスに提供してもよい。
【００７８】
無線ネットワークは、任意のタイプの通信、電気通信、データ、セルラー、および／または無線ネットワーク、または他の類似のタイプのシステムとのインタフェースを構成してもよい。いくつかの実施形態では、無線ネットワークは、特定の規格または他のタイプの事前に定義された規則または手順に従って動作するように構成されてもよい。したがって、無線ネットワークの特定の実施形態は、移動通信のグローバルシステム（ＧＳＭ）、ユニバーサル移動通信システム（ＵＭＴＳ）、ロングタームエボリューション（ＬＴＥ）、および／または他の適切な２Ｇ、３Ｇ、４Ｇ、または５Ｇ規格などの通信規格、ＩＥＥＥＥ８０２．１１規格などの無線ローカルエリアネットワーク（ＷＬＡＮ）規格；および／または、マイクロ波アクセスのための世界相互運用性（ＷｉＭａｘ）、Ｂｌｕｅｔｏｏｔｈ（登録商標）、Ｚ−Ｗａｖｅおよび／またはＺｉｇＢｅｅ規格などの他の適切な無線通信規格に実施し得る。
【００７９】
ネットワーク１１０６は、デバイス間の通信を可能にするために、１つまたは複数のバックホールネットワーク、コアネットワーク、ＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、および他のネットワークから構成されていてもよい。
【００８０】
ネットワークノード１１６０およびＷＤ１１１０は、以下に詳細に説明する各種構成要素を構成する。これらの構成要素は、無線ネットワークにおける無線接続の提供など、ネットワークノードおよび／または無線デバイスの機能を提供するために協働する。異なる実施形態では、無線ネットワークは、有線または無線ネットワーク、ネットワークノード、基地局、コントローラ、無線デバイス、中継局、および／または有線接続または無線接続を介してデータおよび／または信号の通信を容易にするか、またはそれに参加する任意の数の他の構成要素またはシステムで構成されてもよい。
【００８１】
ネットワークノードの例としては、アクセスポイント（ＡＰ）（例えば、無線アクセスポイント）、基地局（ＢＳ）（例えば、無線基地局、ＮＢ、およびｇＮＢ）が挙げられるが、これらに限定されない。基地局は、それらが提供するカバレッジの量（または、別の言い方をすれば、それらの送信電力レベル）に基づいて分類されてもよく、フェムト基地局、ピコ基地局、マイクロ基地局、またはマクロ基地局と呼ばれてもよい。基地局は、中継ノードまたは中継を制御する中継ドナーノードであってもよい。ネットワークノードはまた、集中デジタルユニットおよび／またはリモート無線ユニット（ＲＲＵ）（リモート無線ヘッド（ＲＲＨ）と呼ばれることもある）などの分散型無線基地局の１つまたは複数（またはすべて）の部分を含んでもよい。そのような遠隔無線ユニットは、アンテナ一体型無線機としてアンテナと一体化されていてもよいし、一体化されていなくてもよい。分散型無線基地局の一部は、分散型アンテナシステム（ＤＡＳ）のノードと呼ばれることもある。
【００８２】
さらに別の例として、ネットワークノードは、ＭＳＲ＿ＢＳなどのマルチスタンダード無線（ＭＳＲ）機器、無線ネットワークコントローラ（ＲＮＣ）または基地局コントローラ（ＢＳＣ）などのネットワークコントローラ、基地送受信局（ＢＴＳ）、送信ポイント、送信ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、および／またはＭＤＴを含む。別の例として、ネットワークノードは、以下でより詳細に説明するように、仮想ネットワークノードであってもよい。
【００８３】
図１１において、ネットワークノード１１６０は、処理回路１１７０、デバイス可読媒体１１８０、インタフェース１１９０、補助装置１１８４、電源１１８６、電源回路１１８７、アンテナ１１６２を含む。図１１の例示的な無線ネットワークに図示されたネットワークノード１１６０は、図示されたハードウェア構成要素の組み合わせを含むデバイスを表してもよいが、他の実施形態では、構成要素の異なる組み合わせを有するネットワークノードを構成してもよい。ネットワークノードは、本明細書に開示されたタスク、特徴、機能、および方法および／または手順を実行するために必要なハードウェアおよび／またはソフトウェアの任意の適切な組み合わせから構成されることが理解されるであろう。さらに、ネットワークノード１１６０の構成要素は、より大きなボックス内に配置された単一のボックスとして、または複数のボックス内に入れ子状に配置されたボックスとして描かれているが、実際には、ネットワークノードは、図示された単一の構成要素を構成する複数の異なる物理的構成要素から構成されてもよい（例えば、デバイス可読媒体１１８０は、複数の独立したハードドライブおよび複数のＲＡＭモジュールから構成されてもよい）。
【００８４】
同様に、ネットワークノード１１６０は、複数の物理的に分離した構成要素（例えば、ＮｏｄｅＢ構成要素とＲＮＣ構成要素、またはＢＴＳ構成要素とＢＳＣ構成要素など）で構成されていてもよく、これらの構成要素は、それぞれ、固有の構成要素を有していてもよい。ネットワークノード１１６０が複数の別個の構成要素（例えば、ＢＴＳ構成要素およびＢＳＣ構成要素）を構成する特定のシナリオでは、別個の構成要素のうちの１つまたは複数が、複数のネットワークノード間で共有されてもよい。例えば、単一のＲＮＣが複数のＮｏｄｅＢを制御してもよい。そのようなシナリオでは、それぞれのユニークなＮｏｄｅＢとＲＮＣのペアは、いくつかの実施形態では、単一の別個のネットワークノードとみなされてもよい。いくつかの実施形態では、ネットワークノード１１６０は、複数の無線アクセス技術（ＲＡＴ）をサポートするように構成されてもよい。そのような実施形態では、一部の構成要素は重複していてもよく（例えば、異なるＲＡＴのための別個のデバイス可読媒体１１８０）、一部の構成要素は再利用されてもよい（例えば、同じアンテナ１１６２がＲＡＴによって共有されてもよい）。ネットワークノード１１６０はまた、ネットワークノード１１６０に統合された異なる無線技術、例えば、ＧＳＭ、ＷＣＤＭＡ、ＬＴＥ、ＮＲ、ＷｉＦｉ、またはＢｌｕｅｔｏｏｏｔｈなどの無線技術のための様々な図示された構成要素の複数のセットを含んでもよい。これらの無線技術は、ネットワークノード１１６０内の同じチップまたは異なるチップのセットおよび他の構成要素に統合されてもよい。
【００８５】
処理回路１１７０は、ネットワークノードによって提供されるものとして本明細書に記載されている任意の決定、計算、または類似の動作（例えば、特定の取得動作）を実行するように構成され得る。処理回路１１７０によって実行されるこれらの動作は、例えば、得られた情報を他の情報に変換すること、得られた情報または変換された情報をネットワークノードに格納された情報と比較すること、および／または得られた情報または変換された情報に基づいて１つ以上の動作を実行することによって処理回路１１７０によって得られた情報を処理すること、および処理の結果として決定を行うことを含んでもよい。
【００８６】
処理回路１１７０は、マイクロプロセッサ、コントローラ、マイクロコントローラ、中央処理装置、デジタル信号プロセッサ、特定用途向け集積回路、フィールドプログラマブルゲートアレイ、または他の適切なコンピューティングデバイス、リソース、またはハードウェア、ソフトウェア、および／または符号化された論理の組み合わせのうちの１つ以上の組み合わせで構成されていてもよく、単独で、または他のネットワークノード１１６０の構成要素、例えばデバイス可読媒体１１８０、ネットワークノード１１６０の機能を提供するために動作可能なものである。例えば、処理回路１１７０は、デバイス可読媒体１１８０に格納された命令を実行してもよいし、処理回路１１７０内のメモリに格納された命令を実行してもよい。そのような機能性は、本明細書で議論される様々な無線機能、機能、または利点のいずれかを提供することを含んでもよい。いくつかの実施形態では、処理回路１１７０は、システムオンチップ（ＳＯＣ）を含んでもよい。
【００８７】
いくつかの実施形態では、処理回路１１７０は、無線周波数（ＲＦ）送受信機回路１１７２およびベースバンド処理回路１１７４のうちの１つまたは複数を含んでもよい。いくつかの実施形態では、無線周波数（ＲＦ）送受信機回路１１７２およびベースバンド処理回路１１７４は、無線ユニットおよびデジタルユニットなどの別個のチップ（またはチップのセット）、基板、またはユニット上にあってもよい。代替の実施形態では、ＲＦ送受信機回路１１７２およびベースバンド処理回路１１７４の一部または全部が、同じチップまたはチップ、基板、またはユニットのセット上にあってもよい。
【００８８】
特定の実施形態では、ネットワークノード、基地局、ｅＮＢまたは他のそのようなネットワークデバイスによって提供されるものとして本明細書に記載された機能の一部またはすべては、処理回路１１７０が、デバイス可読媒体１１８０または処理回路１１７０内のメモリに格納された命令を実行することによって実行されてもよい。代替の実施形態では、機能の一部またはすべては、ハードワイヤード方式などの別個のまたは離散的なデバイス可読媒体に格納された命令を実行することなく、処理回路１１７０によって提供されてもよい。それらの実施形態のいずれかにおいて、デバイス可読記憶媒体に格納された命令を実行するか否かにかかわらず、処理回路１１７０は、記載された機能性を実行するように構成され得る。このような機能性によって提供される利点は、処理回路１１７０単独またはネットワークノード１１６０の他の構成要素に限定されるものではなく、ネットワークノード１１６０全体、および／またはエンドユーザおよび無線ネットワーク一般によって享受される。
【００８９】
デバイス可読媒体１１８０は、揮発性または不揮発性のコンピュータ可読メモリの任意の形態で構成されてもよく、永続記憶装置、ソリッドステートメモリ、リモートマウントメモリ、磁気媒体、光学媒体、ランダムアクセスメモリ（ＲＡＭ）、読み取り専用メモリ（ＲＯＭ）、大容量記憶媒体（例えば、ハードディスク）、リムーバブル記憶媒体（例えば、フラッシュドライブ、コンパクトディスク（ＣＤ）またはデジタルビデオディスク（ＤＶＤ））、および／または処理回路１１７０によって使用され得る情報、データ、および／または命令を格納する他の任意の揮発性または不揮発性の、非一時的デバイス可読媒体および／またはコンピュータ実行可能な記憶装置を含むが、これに限定されない。デバイス可読媒体１１８０は、コンピュータプログラム、ソフトウェア、ロジック、ルール、コード、テーブルなどの１つまたは複数を含むアプリケーション、および／または処理回路１１７０によって実行され、ネットワークノード１１６０によって利用されることが可能な他の命令を含む、任意の適切な命令、データまたは情報を格納することができる。デバイス可読媒体１１８０は、処理回路１１７０および／またはインタフェース１１９０を介して受信された任意のデータによって行われた任意の計算を格納するために使用されてもよい。いくつかの実施形態では、処理回路１１７０およびデバイス可読媒体１１８０は、統合されていると考えられてもよい。
【００９０】
インタフェース１１９０は、ネットワークノード１１６０、ネットワーク１１０６、および／またはＷＤ１１１０間のシグナリングおよび／またはデータの有線または無線通信で使用される。図示されているように、インタフェース１１９０は、例えば有線接続を介してネットワーク１１０６との間でデータを送受信するためのポート（複数可）／端末（複数可）１１９４を構成する。インタフェース１１９０はまた、アンテナ１１６２に結合されるか、または特定の実施形態ではアンテナ１１６２の一部である無線フロントエンド回路１１９２を含む。無線フロントエンド回路１１９２は、フィルタ１１９８および増幅器１１９６を含む。無線フロントエンド回路１１９２は、アンテナ１１６２および処理回路１１７０に接続されてもよい。無線フロントエンド回路は、アンテナ１１６２と処理回路１１７０との間で通信される信号を条件付けするように構成されていてもよい。無線フロントエンド回路１１９２は、無線接続を介して他のネットワークノードまたはＷＤに送信されるべきデジタルデータを受信してもよい。無線フロントエンド回路１１９２は、フィルタ１１９８および／または増幅器１１９６の組み合わせを使用して、デジタルデータを適切なチャネルおよび帯域幅パラメータを有する無線信号に変換してもよい。そして、無線信号は、アンテナ１１６２を介して送信されてもよい。同様に、データを受信する場合、アンテナ１１６２は、無線フロントエンド回路１１９２によってデジタルデータに変換される無線信号を収集してもよい。デジタルデータは、処理回路１１７０に渡されてもよい。他の実施形態では、インタフェースは、異なる構成要素および／または構成要素の異なる組み合わせで構成されてもよい。
【００９１】
特定の代替的な実施形態では、ネットワークノード１１６０は、別個の無線フロントエンド回路１１９２を含んでいなくてもよく、代わりに、処理回路１１７０は、無線フロントエンド回路を構成してもよく、別個の無線フロントエンド回路１１９２を含まずにアンテナ１１６２に接続されていてもよい。同様に、いくつかの実施形態では、ＲＦ送受信機回路１１７２の全部または一部は、インタフェース１１９０の一部とみなされてもよい。まだ他の実施形態では、インタフェース１１９０は、無線ユニット（図示せず）の一部として、１つまたは複数のポートまたは端子１１９４、無線フロントエンド回路１１９２、およびＲＦ送受信機回路１１７２を含んでもよく、インタフェース１１９０は、デジタルユニット（図示せず）の一部であるベースバンド処理回路１１７４と通信してもよい。
【００９２】
アンテナ１１６２は、無線信号を送信および／または受信するように構成された１つ以上のアンテナ、またはアンテナアレイを含んでもよい。アンテナ１１６２は、無線フロントエンド回路１１９０に結合されてもよく、データおよび／または信号を無線で送受信することができる任意のタイプのアンテナであってもよい。いくつかの実施形態では、アンテナ１１６２は、例えば２ＧＨｚと６６ＧＨｚの間で無線信号を送受信するために動作可能な１つ以上の無指向性アンテナ、セクタアンテナ、またはパネルアンテナを構成してもよい。無指向性アンテナは、任意の方向の無線信号を送受信するために使用されてもよく、セクターアンテナは、特定の領域内のデバイスからの無線信号を送受信するために使用されてもよく、パネルアンテナは、無線信号を比較的直線的に送受信するために使用される視線アンテナであってもよい。いくつかの実施形態では、複数のアンテナの使用は、ＭＩＭＯと呼ばれてもよい。特定の実施形態では、アンテナ１１６２は、ネットワークノード１１６０から分離されていてもよく、インタフェースまたはポートを介してネットワークノード１１６０に接続可能であってもよい。
【００９３】
アンテナ１１６２、インタフェース１１９０、および／または処理回路１１７０は、ネットワークノードによって実行されるものとして本明細書に記載されている任意の受信動作および／または特定の取得動作を実行するように構成されてもよい。任意の情報、データおよび／または信号は、無線デバイス、別のネットワークノード、および／または任意の他のネットワーク機器から受信されてもよい。同様に、アンテナ１１６２、インタフェース１１９０、および／または処理回路１１７０は、ネットワークノードによって実行されるものとして本明細書に記載されている任意の送信動作を実行するように構成されていてもよい。任意の情報、データおよび／または信号は、無線装置、別のネットワークノード、および／または任意の他のネットワーク機器に送信されてもよい。
【００９４】
電力回路１１８７は、電力管理回路を構成してもよく、またはそれに結合されてもよく、ネットワークノード１１６０の構成要素に、本明細書に記載された機能を実行するための電力を供給するように構成されている。電力回路１１８７は、電源１１８６から電力を受け取ってもよい。電源１１８６および／または電源回路１１８７は、それぞれの構成要素に適した形で（例えば、それぞれの構成要素に必要とされる電圧および電流レベルで）ネットワークノード１１６０の様々な構成要素に電力を供給するように構成されてもよい。電源１１８６は、電源回路１１８７および／またはネットワークノード１１６０に含まれていてもよいし、外部にあってもよい。例えば、ネットワークノード１１６０は、入力回路または電気ケーブルなどのインタフェースを介して外部電源（例えば、コンセント）に接続可能であってもよく、それにより、外部電源は電源回路１１８７に電力を供給する。さらなる例として、電源１１８６は、電源回路１１８７に接続されているか、または電源回路１１８７に統合されている電池または電池パックの形態の電源で構成されてもよい。バッテリは、外部電源が故障した場合にバックアップ電力を提供してもよい。また、光起電力デバイスのような他のタイプの電源を使用してもよい。
【００９５】
ネットワークノード１１６０の代替的な実施形態は、本明細書に記載された機能のいずれかおよび／または本明細書に記載された主題をサポートするために必要な機能のいずれかを含む、ネットワークノードの機能の特定の側面を提供するために責任を負うことができる、図１１に示されたものを超えた追加の構成要素を含んでもよい。例えば、ネットワークノード１１６０は、ネットワークノード１１６０への情報の入力を可能および／または促進し、ネットワークノード１１６０からの情報の出力を可能および／または促進するためのユーザインタフェース装置を含んでもよい。これにより、ユーザは、ネットワークノード１１６０の診断、保守、修理、および他の管理機能を実行することが可能および／または促進するようにしてもよい。
【００９６】
いくつかの実施形態では、無線デバイス（ＷＤ、例えばＷＤ１１１０）は、人間の直接的な相互作用なしに情報を送信および／または受信するように構成されてもよい。例えば、ＷＤは、内部イベントまたは外部イベントによってトリガされたとき、またはネットワークからの要求に応答して、所定のスケジュールでネットワークに情報を送信するように構成されてもよい。ＷＤの例としては、スマートフォン、携帯電話、セル電話、ボイスオーバーＩＰ（ＶｏＩＰ）電話、無線ローカルループ電話、デスクトップコンピュータ、パーソナルデジタルアシスタント（ＰＤＡ）、無線カメラ、ゲーム機または装置、音楽ストレージ装置、再生装置、ウェアラブル装置、無線エンドポイント、モバイルステーション、タブレット、ラップトップ、ラップトップ内蔵装置（ＬＥＥ）、ラップトップ搭載装置（ＬＭＥ）、スマートデバイス、無線顧客宅内装置（ＣＰＥ）、モバイル型通信（ＭＴＣ）装置、インターネットオブシングス（ＩｏＴ）装置、車載型無線端末装置などが挙げられるが、これらに限定されるものではない。
【００９７】
ＷＤは、例えば、サイドリンク通信、車両間通信（Ｖ２Ｖ）、車両対インフラストラクチャ（Ｖ２Ｉ）、車両対任意物通信（Ｖ２Ｘ）のための３ＧＰＰ規格を実装することによって、デバイス間通信（Ｄ２Ｄ）をサポートしてもよく、この場合、Ｄ２Ｄ通信装置と呼ばれてもよい。さらに他の具体例として、モノのインターネット（ＩｏＴ）シナリオにおいて、ＷＤは、監視および／または測定を実行し、そのような監視および／または測定の結果を他のＷＤおよび／またはネットワークノードに送信する機械または他の装置を表してもよい。この場合、ＷＤは、３ＧＰＰの文脈ではＭＴＣデバイスと呼ばれるマシンツーマシン（Ｍ２Ｍ）デバイスであってもよい。特定の例として、ＷＤは、３ＧＰＰのナローバンドインターネットオブシングス（ＮＢ−ＩｏＴ）標準を実装したＵＥであり得る。このような機械または装置の特に例としては、センサー、電力計などの計量装置、産業機械、または家庭用または個人用の電化製品（冷蔵庫、テレビなど）個人用ウェアラブル（時計、フィットネストラッカーなど）がある。他の態様では、ＷＤは、その動作状態またはその動作に関連する他の機能を監視および／または報告することができる車両または他の装置を表してもよい。上述のようなＷＤは、無線接続のエンドポイントを表してもよく、この場合、装置は無線端末と呼ばれてもよい。さらに、上述したようなＷＤは、移動可能であってもよく、その場合には、移動装置または移動端末と呼ばれてもよい。
【００９８】
図示されているように、無線デバイス１１１０は、アンテナ１１１１、インタフェース１１１４、処理回路１１２０、デバイス可読媒体１１３０、ユーザインタフェース装置１１３２、補助装置１１３４、電源１１３６、および電源回路１１３７を含む。ＷＤ１１１０は、ＷＤ１１１０によってサポートされる異なる無線技術、例えば、いくつかを挙げるとすれば、例えば、ＧＳＭ、ＷＣＤＭＡ、ＬＴＥ、ＮＲ、ＷｉＦｉ、ＷｉＭＡＸ、またはＢｌｕｅｔｏｏｏｔｈの無線技術のような、図示された１つ以上の構成要素の複数のセットを含んでもよい。これらの無線技術は、ＷＤ１１１０内の他の構成要素と同じチップまたは異なるチップのセットに統合されていてもよい。
【００９９】
アンテナ１１１１は、無線信号を送信および／または受信するように構成された１つ以上のアンテナまたはアンテナアレイを含んでもよく、インタフェース１１１４に接続される。特定の代替実施形態では、アンテナ１１１１は、ＷＤ１１１０から分離され、インタフェースまたはポートを介してＷＤ１１１０に接続可能であってもよい。アンテナ１１１１、インタフェース１１１４、および／または処理回路１１２０は、ＷＤによって実行されるものとして本明細書に記載されている任意の受信または送信動作を実行するように構成されてもよい。任意の情報、データおよび／または信号は、ネットワークノードおよび／または別のＷＤから受信されてもよい。いくつかの実施形態では、無線フロントエンド回路および／またはアンテナ１１１１は、インタフェースと見なされてもよい。
【０１００】
図示されているように、インタフェース１１１４は、無線フロントエンド回路１１１２およびアンテナ１１１１を含む。無線フロントエンド回路１１１２は、１つ以上のフィルタ１１１８および増幅器１１１６を構成する。無線フロントエンド回路１１１４は、アンテナ１１１１および処理回路１１２０に接続されており、アンテナ１１１１と処理回路１１２０との間で通信される信号を条件付けるように構成されている。無線フロントエンド回路１１１２は、アンテナ１１１１に結合されていてもよいし、アンテナ１１１１の一部であってもよい。いくつかの実施形態では、ＷＤ１１１０は、別個の無線フロントエンド回路１１１２を含んでいなくてもよく、むしろ、処理回路１１２０は、無線フロントエンド回路を構成してもよく、アンテナ１１１１に接続されてもよい。同様に、いくつかの実施形態では、ＲＦ送受信機回路１１２２の一部または全部が、インタフェース１１１４の一部とみなされてもよい。無線フロントエンド回路１１１２は、無線接続を介して他のネットワークノードまたはＷＤに送信されるべきデジタルデータを受信してもよい。無線フロントエンド回路１１１２は、フィルタ１１１８および／または増幅器１１１６の組み合わせを使用して、デジタルデータを適切なチャネルおよび帯域幅パラメータを有する無線信号に変換してもよい。そして、無線信号は、アンテナ１１１１を介して送信されてもよい。同様に、データを受信する場合、アンテナ１１１１は、無線フロントエンド回路１１１２によってデジタルデータに変換される無線信号を収集してもよい。デジタルデータは、処理回路１１２０に渡されてもよい。他の実施形態では、インタフェースは、異なる構成要素および／または構成要素の異なる組み合わせで構成されてもよい。
【０１０１】
処理回路１１２０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、またはハードウェア、ソフトウェア、および／または符号化された論理の組み合わせのうちの１つ以上の組み合わせで構成されてもよく、単独で、または他のＷＤ１１１０の構成要素、例えばデバイス可読媒体１１３０のようなＷＤ１１１０の機能性を提供するために動作可能である。このような機能性は、本明細書で議論される様々な無線機能または利点のいずれかを提供することを含むことができる。例えば、処理回路１１２０は、本明細書に開示された機能を提供するために、デバイス可読媒体１１３０に格納された命令を実行してもよいし、処理回路１１２０内のメモリに格納された命令を実行してもよい。
【０１０２】
図示されているように、処理回路部１１２０は、ＲＦ送受信機回路１１２２、ベースバンド処理回路部１１２４、およびアプリケーション処理回路部１１２６のうちの１つまたは複数を含む。他の実施形態では、処理回路は、異なる構成要素および／または構成要素の異なる組み合わせで構成されてもよい。特定の実施形態では、ＷＤ１１１０の処理回路１１２０は、ＳＯＣを構成してもよい。いくつかの実施形態では、ＲＦ送受信機回路１１２２、ベースバンド処理回路１１２４、およびアプリケーション処理回路１１２６は、別個のチップまたはチップのセット上にあってもよい。代替的な実施形態では、ベースバンド処理回路１１２４およびアプリケーション処理回路１１２６の一部または全部が、１つのチップまたはチップセットに結合されてもよく、ＲＦ送受信機回路６Ｑ１２２は、別個のチップまたはチップセット上にあってもよい。まだ別の代替的な実施形態では、ＲＦ送受信機回路１１２２およびベースバンド処理回路１１２４の一部または全部が同じチップまたはチップセット上にあってもよく、アプリケーション処理回路１１２６が別個のチップまたはチップセット上にあってもよい。まだ他の代替的な実施形態では、ＲＦ送受信機回路１１２２、ベースバンド処理回路１１２４、およびアプリケーション処理回路１１２６の一部または全部が、同じチップまたはチップセットに結合されていてもよい。いくつかの実施形態では、ＲＦ送受信機回路１１２２は、インタフェース１１１４の一部であってもよい。ＲＦ送受信機回路１１２２は、処理回路１１２０のためにＲＦ信号を条件付けしてもよい。
【０１０３】
特定の実施形態では、ＷＤによって実行されるものとして本明細書に記載されている機能の一部または全部は、処理回路１１２０が、デバイス可読媒体１１３０に格納された命令を実行することによって提供されてもよく、これは、特定の実施形態では、コンピュータ可読記憶媒体であってもよい。代替の実施形態では、機能の一部または全部は、ハードワイヤード方式などの別個のまたは個別のデバイス可読記憶媒体に格納された命令を実行することなく、処理回路１１２０によって提供されてもよい。それらの特定の実施形態のいずれかにおいて、デバイス可読記憶媒体に格納された命令を実行するか否かにかかわらず、処理回路１１２０は、記載された機能を実行するように構成され得る。このような機能性によって提供される利点は、処理回路１１２０単独またはＷＤ１１１０の他の構成要素に限定されるものではなく、ＷＤ１１１０全体として、および／またはエンドユーザおよび一般的な無線ネットワークによって享受される。
【０１０４】
処理回路１１２０は、ＷＤによって実行されるものとして本明細書に記載されている任意の決定、計算、または類似の動作（例えば、特定の取得動作）を実行するように構成されていてもよい。処理回路１１２０によって実行されるこれらの動作は、例えば、得られた情報を他の情報に変換することによって処理回路１１２０によって得られた情報を処理すること、得られた情報または変換された情報をＷＤ１１１０によって記憶された情報と比較すること、および／または得られた情報または変換された情報に基づいて１つ以上の動作を実行すること、および処理の結果として決定を行うことを含んでいてもよい。
【０１０５】
デバイス可読媒体１１３０は、コンピュータプログラム、ソフトウェア、ロジック、ルール、コード、テーブルなどの１つまたは複数を含むアプリケーション、および／または処理回路１１２０によって実行されることが可能な他の命令を格納するために動作可能であってもよい。デバイス可読媒体１１３０は、コンピュータメモリ（例えば、ランダムアクセスメモリ（ＲＡＭ）またはリードオンリーメモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、および／または処理回路部１１２０によって使用され得る情報、データ、命令を記憶することができる他の任意の揮発性または不揮発性、非一時的デバイス可読および／またはコンピュータ実行可能なメモリデバイスを含む。いくつかの実施形態では、処理回路１１２０およびデバイス可読媒体１１３０は、統合されていると考えられてもよい。
【０１０６】
ユーザインタフェース装置１１３２は、人間のユーザがＷＤ１１１０と相互作用することを可能および／または促進する構成要素を含み得る。そのような相互作用は、視覚的、聴覚的、触覚的などの多くの形態であってもよい。ユーザインタフェース装置１１３２は、ユーザへの出力を生成し、ユーザがＷＤ１１１０に入力を提供することを可能および／または促進するように動作可能であってもよい。インタラクションの種類は、ＷＤ１１１０に設置されているユーザインタフェース装置１１３２の種類に応じて変化してもよい。例えば、ＷＤ１１１０がスマートフォンである場合、インタラクションはタッチスクリーンを介して行われてもよく、ＷＤ１１１０がスマートメータである場合、インタラクションは、使用量（例えば、使用されたガロン数）を提供する画面を介して行われてもよいし、音声によるアラート（例えば、煙が検出された場合）を提供するスピーカを介して行われてもよい。ユーザインタフェース装置１１３２は、入力インタフェース、装置及び回路、並びに出力インタフェース、装置及び回路を含んでもよい。ユーザインタフェース装置１１３２は、ＷＤＱ１１０への情報の入力を可能および／または促進するように構成され、処理回路１１２０に接続され、処理回路１１２０が入力された情報を処理することを可能および／または促進する。ユーザインタフェース装置１１３２は、例えば、マイク、近接または他のセンサ、キー／ボタン、タッチディスプレイ、１つまたは複数のカメラ、ＵＳＢポート、または他の入力回路を含んでもよい。また、ユーザインタフェース装置１１３２は、処理回路１１２０が、ＷＤ１１１０からの情報の出力を可能および／または促進するように構成されている。ユーザインタフェース装置１１３２は、例えば、スピーカ、ディスプレイ、振動回路、ＵＳＢポート、ヘッドフォンインタフェース、または他の出力回路を含んでいてもよい。ユーザインタフェース装置１１３２の１つ以上の入力インタフェース、出力インタフェース、装置、および回路を使用して、ＷＤ１１１０は、エンドユーザおよび／または無線ネットワークと通信して、本明細書に記載された機能の恩恵を受けることが可能および／または促進するようにしてもよい。
【０１０７】
補助装置１１３４は、ＷＤによって一般的に実行されないかもしれないより特定の機能を提供するために動作可能である。これは、様々な目的のために測定を行うための特殊なセンサ、有線通信などの付加的なタイプの通信のためのインタフェースなどで構成されてもよい。補助装置１１３４の構成要素の包含およびタイプは、実施形態および／またはシナリオに応じて変化してもよい。
【０１０８】
電源１１３６は、いくつかの実施形態では、バッテリまたはバッテリパックの形態であってもよい。他のタイプの電源、例えば、外部電源（例えば、電気コンセント）、光起電力デバイスまたはパワーセルなども使用されてもよい。ＷＤ１１１０は、本明細書に記載または示された任意の機能を実行するために電源１１３６からの電力を必要とするＷＤ１１１０の様々な部分に電源１１３６からの電力を供給するための電源回路１１３７をさらに含んでいてもよい。電源回路１１３７は、特定の実施形態では、電源管理回路を構成してもよい。電源回路１１３７は、追加的に、または代替的に、外部電源から電力を受信するために動作可能であってもよく、その場合、ＷＤ１１１０は、入力回路または電力ケーブルなどのインタフェースを介して、外部電源（例えば、電気コンセント）に接続可能であってもよい。電源回路１１３７はまた、特定の実施形態では、外部電源から電源１１３６に電力を供給するために動作可能であってもよい。これは、例えば、電源１１３６の充電のためであってもよい。電力回路１１３７は、ＷＤ１１１０の各構成要素に電力を提供するのに適合するように、電源１１３６からの電力に対して任意の変換、または他の変更を実行してもよい。
【０１０９】
図１２は、本明細書に記載される様々な側面に従って、ＵＥの一実施形態を示す。本明細書で使用されるように、ユーザ装置またはＵＥは、必ずしも、当該装置を所有し、および／または操作する人間のユーザの意味でのユーザを有するとは限らない。代わりに、ＵＥは、人間のユーザへの販売、または人間のユーザによる操作を意図しているが、特定の人間のユーザに関連していないかもしれない、または最初は関連していないかもしれない装置（例えば、スマートスプリンクラーコントローラ）を表してもよい。あるいは、ＵＥは、エンドユーザへの販売またはエンドユーザによる操作を意図していないが、ユーザの利益のために関連付けられているかまたは操作されている可能性があるデバイス（例えば、スマート電力メータ）を表してもよい。ＵＥ１２２００は、ＮＢ−ＩｏＴ＿ＵＥ、マシンタイプ通信（ＭＴＣ）ＵＥ、および／または強化型ＭＴＣ（ｅＭＴＣ）ＵＥを含む、第３世代パートナーシッププロジェクト（３ＧＰＰ）によって特定された任意のＵＥであってもよい。図１２に示されるように、ＵＥ１２００は、３ＧＰＰのＧＳＭ、ＵＭＴＳ、ＬＴＥ、および／または５Ｇ規格などの第３世代パートナーシッププロジェクト（３ＧＰＰ）によって公布された１つ以上の通信規格に従って通信するように構成されたＷＤの一例である。前述したように、ＷＤおよびＵＥという用語は、交換可能に使用されてもよい。したがって、図１２はＵＥであるが、本明細書で論じた構成要素はＷＤにも同様に適用可能であり、またその逆も同様である。
【０１１０】
図１２において、ＵＥ１２００は、入出力インタフェース１２０５、無線周波数（ＲＦ）インタフェース１２０９、ネットワーク接続インタフェース１２１１、ランダムアクセスメモリ（ＲＡＭ）１２１７、リードオンリーメモリ（ＲＯＭ）１２１９を含むメモリ１２１５、および記憶媒体１２２１など、通信サブシステム１２３１、電源１２３３、および／または任意の他の構成要素、またはそれらの任意の組み合わせに作動的に結合された処理回路１２０１を含む。記憶媒体１２２１は、オペレーティングシステム１２２３、アプリケーションプログラム１２２５、およびデータ１２２７を含む。他の実施形態では、記憶媒体１２２１は、他の同様のタイプの情報を含んでもよい。特定のＵＥは、図１２に示す構成要素のすべてを利用してもよいし、構成要素のサブセットのみを利用してもよい。構成要素間の統合のレベルは、あるＵＥから別のＵＥへと変化してもよい。さらに、特定のＵＥは、複数のプロセッサ、メモリ、送受信機、送信機、受信機などの構成要素の複数のインスタンスを含んでもよい。
【０１１１】
図１２において、処理回路１２０１は、コンピュータ命令およびデータを処理するように構成されてもよい。処理回路部１２０１は、メモリ内の機械可読コンピュータプログラムとして格納された機械命令を実行するために作動する任意のシーケンシャルステートマシンを実装するように構成されてもよい、例えば、１つ以上のハードウェア実装ステートマシン（例えば、ディスクリートロジック、ＦＰＧＡ、ＡＳＩＣなど）、適切なファームウェアとともにあるプログラマブルロジック、１つ以上の格納されたプログラム、適切なソフトウェアとともにあるマイクロプロセッサまたはデジタルシグナルプロセッサ（ＤＳＰ）などの汎用プロセッサ、または上記の任意の組み合わせを実装するように構成されてもよい。例えば、処理回路１２０１は、２つの中央処理装置（ＣＰＵ）を含んでもよい。データは、コンピュータによる使用に適した形態の情報であってもよい。
【０１１２】
描かれた実施形態では、入力／出力インタフェース１２０５は、入力装置、出力装置、または入出力装置に通信インタフェースを提供するように構成されてもよい。ＵＥ１２００は、入出力インタフェース１２０５を介して出力デバイスを使用するように構成されてもよい。出力デバイスは、入力デバイスと同じタイプのインタフェースポートを使用してもよい。例えば、ＵＳＢポートを使用して、ＵＥ１２００との間で入出力を行うように構成されてもよい。出力デバイスは、スピーカ、サウンドカード、ビデオカード、ディスプレイ、モニタ、プリンタ、アクチュエータ、エミッタ、スマートカード、別の出力デバイス、またはそれらの任意の組み合わせであってもよい。ＵＥ１２００は、ユーザがＵＥ１２００に情報を取り込むことを可能および／または促進するために、入出力インタフェース１２０５を介して入力デバイスを使用するように構成されてもよい。入力デバイスは、タッチセンシティブまたはプレゼンスセンシティブディスプレイ、カメラ（例えば、デジタルカメラ、デジタルビデオカメラ、ウェブカメラなど）、マイク、センサ、マウス、トラックボール、方向パッド、トラックパッド、スクロールホイール、スマートカードなどを含んでもよい。プレゼンスセンシティブディスプレイは、ユーザからの入力を感知するための容量性または抵抗性のタッチセンサを含んでもよい。センサは、例えば、加速度センサ、ジャイロスコープ、傾斜センサ、力センサ、地磁気センサ、光学センサ、近接センサ、別の類似センサ、またはそれらの任意の組み合わせであってもよい。例えば、入力デバイスは、加速度センサ、地磁気センサ、デジタルカメラ、マイク、および光学センサであってもよい。
【０１１３】
図１２において、ＲＦインタフェース１２０９は、送信機、受信機、アンテナなどのＲＦ構成要素に通信インタフェースを提供するように構成されてもよい。ネットワーク接続インタフェース１２１１は、ネットワーク１２４３ａに通信インタフェースを提供するように構成されてもよい。ネットワーク１２４３ａは、ローカルエリアネットワーク（ＬＡＮ）、広域ネットワーク（ＷＡＮ）、コンピュータネットワーク、無線ネットワーク、通信ネットワーク、別の類似ネットワーク、またはそれらの任意の組み合わせなどの有線および／または無線ネットワークを包含してもよい。例えば、ネットワーク１２４３ａは、Ｗｉ−Ｆｉネットワークを構成してもよい。ネットワーク接続インタフェース１２１１は、イーサネット、ＴＣＰ／ＩＰ、ＳＯＮＥＴ、ＡＴＭなどの１つ以上の通信プロトコルに従って、通信ネットワークを介して１つ以上の他の装置と通信するために使用される受信機および送信機インタフェースを含むように構成されてもよい。ネットワーク接続インタフェース１２１１は、通信ネットワークリンク（例えば、光、電気、およびそのようなもの）に適した受信機および送信機機能を実装してもよい。送信機機能および受信機機能は、回路部品、ソフトウェアまたはファームウェアを共有してもよく、または代替的に別々に実装されてもよい。
【０１１４】
ＲＡＭ１２１７は、オペレーティングシステム、アプリケーションプログラム、デバイスドライバなどのソフトウェアプログラムの実行中にデータまたはコンピュータ命令のストレージまたはキャッシングを提供するために、バス１２０２を介して処理回路１２０１にインタフェースするように構成されていてもよい。ＲＯＭ１２１９は、コンピュータ命令またはデータを処理回路１２０１に提供するように構成されていてもよい。例えば、ＲＯＭ１２１９は、不揮発性メモリに記憶されている基本的な入出力（Ｉ／Ｏ）、起動、またはキーボードからのキーストロークの受信などの基本的なシステム機能のための不変の低レベルのシステムコードまたはデータを記憶するように構成されていてもよい。記憶媒体１２２１は、ＲＡＭ、ＲＯＭ、プログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、磁気ディスク、光ディスク、フロッピーディスク、ハードディスク、リムーバブルカートリッジ、またはフラッシュドライブなどのメモリを含むように構成されてもよい。一例では、記憶媒体１２２１は、オペレーティングシステム１２２３、Ｗｅｂブラウザアプリケーション、ウィジェットまたはガジェットエンジンまたは別のアプリケーションなどのアプリケーションプログラム１２２５、およびデータファイル１２２７を含むように構成されてもよい。記憶媒体１２２１は、ＵＥ１２００が使用するために、様々なオペレーティングシステムまたはオペレーティングシステムの組み合わせのうちの任意のものを記憶してもよい。
【０１１５】
記憶媒体１２２１は、独立ディスクの冗長アレイ（ＲＡＩＤ）、フロッピーディスクドライブ、フラッシュメモリ、ＵＳＢフラッシュドライブ、外付けハードディスクドライブ、サムドライブ、ペンドライブ、キードライブ、高密度デジタル多目的ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外付けミニデュアルインラインメモリモジュール（ＤＩＭＭ）、同期ダイナミックランダムアクセスメモリ（ＳＤＲＡＭ）、外付けマイクロＤＩＭＭ＿ＳＤＲＡＭ、加入者ＩＤモジュールまたはリムーバブルユーザＩＤ（ＳＩＭ／ＲＵＩＭ）モジュールなどのスマートカードメモリ、他のメモリなどの多数の物理ドライブユニット、またはそれらの任意の組み合わせを含むように構成されていてもよい。記憶媒体１２２１は、ＵＥ１２００が、一時的または非一時的記憶媒体に記憶されたコンピュータ実行可能な命令、アプリケーションプログラムまたはそのようなものにアクセスして、データをオフロードすること、またはデータをアップロードすることを可能および／または促進してもよい。通信システムを利用するものなどの製造品は、記憶媒体１２２１に当接可能に具現化されてもよく、これはデバイス可読媒体を構成してもよい。
【０１１６】
図１２において、処理回路１２０１は、通信サブシステム１２３１を用いてネットワーク１２４３ｂと通信するように構成されてもよい。ネットワーク１２４３ａおよびネットワーク１２４３ｂは、同じネットワークまたはネットワークであってもよいし、異なるネットワークまたはネットワークであってもよい。通信サブシステム１２３１は、ネットワーク１２４３ｂと通信するために使用される１つまたは複数の送受信機を含むように構成されてもよい。例えば、通信サブシステム１２３１は、ＩＥＥＥ８０２．１２、ＣＤＭＡ、ＷＣＤＭＡ、ＧＳＭ、ＬＴＥ、ＵＴＲＡＮ、ＷｉＭａｘなどの１つ以上の通信プロトコルに従って、別のＷＤ、ＵＥ、または無線アクセスネットワーク（ＲＡＮ）の基地局などの無線通信が可能な別のデバイスの１つ以上のリモート送受信機と通信するために使用される１つ以上の送受信機を含むように構成されてもよい。各送受信機は、送信機１２３３および／または受信機１２３５を含み、それぞれＲＡＮリンクに適した送信機または受信機機能（例えば、周波数割り当てなど）を実装することができる。さらに、各送受信機の送信機１２３３および受信機１２３５は、回路部品、ソフトウェアまたはファームウェアを共有してもよく、または代替的に別々に実装されてもよい。
【０１１７】
図示された実施形態では、通信サブシステム１２３１の通信機能は、データ通信、音声通信、マルチメディア通信、Ｂｌｕｅｔｏｏｔｈなどの近距離通信、近距離通信、全地球測位システム（ＧＰＳ）を使用して位置を決定するなどの位置ベースの通信、別の類似の通信機能、またはそれらの任意の組み合わせを含んでもよい。例えば、通信サブシステム１２３１は、セルラー通信、Ｗｉ−Ｆｉ通信、Ｂｌｕｅｔｏｏｔｈ通信、およびＧＰＳ通信を包含してもよい。ネットワーク１２４３ｂは、ローカルエリアネットワーク（ＬＡＮ）、広域ネットワーク（ＷＡＮ）、コンピュータネットワーク、無線ネットワーク、通信ネットワーク、別の類似ネットワーク、またはそれらの任意の組み合わせなどの有線および／または無線ネットワークを包含してもよい。例えば、ネットワーク１２４３ｂは、セルラーネットワーク、Ｗｉ−Ｆｉネットワーク、および／またはニアフィールドネットワークであってもよい。電源１２１３は、ＵＥ１２００の構成要素に交流（ＡＣ）または直流（ＤＣ）電力を供給するように構成されていてもよい。
【０１１８】
本明細書に記載された特徴、利点、および／または機能は、ＵＥ１２００の構成要素のいずれかに実装されてもよいし、ＵＥ１２００の複数の構成要素にまたがって分割されてもよい。さらに、本明細書に記載された特徴、利点、および／または機能は、ハードウェア、ソフトウェア、またはファームウェアの任意の組み合わせで実装されてもよい。一例では、通信サブシステム１２３１は、本明細書に記載された構成要素のいずれかを含むように構成されてもよい。さらに、処理回路１２０１は、バス１２０２を介してそのような構成要素のいずれかと通信するように構成されてもよい。別の例では、そのような構成要素のいずれかは、処理回路１２０１によって実行されると、本明細書に記載された対応する機能を実行する、メモリに格納されたプログラム命令によって表されてもよい。別の例では、そのような構成要素のいずれかの機能は、処理回路１２０１と通信サブシステム１２３１との間で分割されてもよい。別の例では、そのような構成要素のいずれかの非計算集約的な機能は、ソフトウェアまたはファームウェアで実装されてもよく、計算集約的な機能は、ハードウェアで実装されてもよい。
【０１１９】
図１３は、いくつかの実施形態によって実装された機能が仮想化されてもよい仮想化環境１３００を例示する概略ブロック図である。本明細書では、仮想化とは、ハードウェアプラットフォーム、ストレージデバイス、およびネットワークリソースの仮想化を含むことができる装置またはデバイスの仮想バージョンを作成することを意味する。本明細書で使用されるように、仮想化は、ノード（例えば、仮想化された基地局または仮想化された無線アクセスノード、仮想化されたコアネットワークノード）またはデバイス（例えば、ＵＥ、無線デバイス、または任意の他のタイプの通信デバイス）またはその構成要素に適用することができ、機能の少なくとも一部が１つ以上の仮想構成要素（例えば、１つ以上のネットワーク内の１つ以上の物理的処理ノード上で実行される１つ以上のアプリケーション、構成要素、機能、仮想マシンまたはコンテナを介して）として実装される実施形態に関連する。
【０１２０】
いくつかの実施形態では、本明細書に記載された機能の一部または全部は、ハードウェアノード１３３０のうちの１つまたは複数のハードウェアノード１３３０によってホストされた１つまたは複数の仮想環境１３００に実装された１つまたは複数の仮想マシンによって実行される仮想構成要素として実装されてもよい。さらに、仮想ノードが無線アクセスノードではないか、または無線接続を必要としない実施形態（例えば、コアネットワークノード）では、ネットワークノードは完全に仮想化されてもよい。
【０１２１】
機能は、本明細書に開示されたいくつかの実施形態の特徴、機能、および／または利点のいくつかを実装するために作動する１つ以上のアプリケーション１３２０（これは、代替的に、ソフトウェアインスタンス、仮想アプライアンス、ネットワーク機能、仮想ノード、仮想ネットワーク機能などと呼ばれてもよい）によって実装されてもよい。アプリケーション１３２０は、処理回路１３６０とメモリ１３９０を含むハードウェア１３３０を提供する仮想化環境１３００で実行される。メモリ１３９０は、処理回路１３６０によって実行可能な命令１３９５を含み、それにより、アプリケーション１３２０は、本明細書に開示されている機能、利点、および／または機能の１つ以上を提供するために動作可能である。
【０１２２】
仮想化環境１３００は、１つ以上のプロセッサまたは処理回路１３６０のセットを構成する汎用または特殊目的ネットワークハードウェアデバイス１３３０で構成されており、これは、市販の（ＣＯＴＳ）プロセッサ、特定用途向け集積回路（ＡＳＩＣ）、またはデジタルまたはアナログハードウェア構成要素または特殊目的プロセッサを含む処理回路の任意の他のタイプであってもよい。各ハードウェアデバイスは、命令１３９５または処理回路１３６０によって実行されるソフトウェアを一時的に記憶するための非永続メモリであるメモリ１３９０−１を構成してもよい。各ハードウェアデバイスは、物理ネットワークインタフェース１３８０を含むネットワークインタフェースカードとしても知られる１つ以上のネットワークインタフェースコントローラ（ＮＩＣ）１３７０を含んでもよい。各ハードウェアデバイスはまた、そこに格納されたソフトウェア１３９５および／または処理回路１３６０によって実行可能な命令を有する非一時的、永続性、機械可読記憶媒体１３９０−２を含んでもよい。ソフトウェア１３９５は、１つまたは複数の仮想化レイヤ１３５０（ハイパーバイザとも呼ばれる）をインスタンス化するためのソフトウェア、仮想マシン１３４０を実行するためのソフトウェア、および本明細書に記載されたいくつかの実施形態に関連して記載された機能、特徴および／または利点を実行することを可能にするソフトウェアを含む任意のタイプのソフトウェアを含むことができる。
【０１２３】
仮想マシン１３４０は、仮想処理、仮想メモリ、仮想ネットワークまたはインタフェース、および仮想ストレージからなり、対応する仮想化レイヤ１３５０またはハイパーバイザによって実行されてもよい。仮想アプライアンス１３２０のインスタンスの異なる実施形態は、仮想マシン１３４０の１つ以上に実装されてもよい。
【０１２４】
動作中、処理回路１３６０は、ハイパーバイザまたは仮想化レイヤ１３５０をインスタンス化するためのソフトウェア１３９５を実行し、これは、仮想マシンモニタ（ＶＭＭ）と呼ばれることもある。仮想化レイヤ１３５０は、仮想マシン１３４０にネットワークハードウェアのように見える仮想オペレーティングプラットフォームを提示してもよい。
【０１２５】
図１３に示すように、ハードウェア１３３０は、汎用または特定の構成要素を有するスタンドアロンネットワークノードであってもよい。ハードウェア１３３０は、アンテナ１３２５を構成してもよく、仮想化を介していくつかの機能を実装してもよい。あるいは、ハードウェア１３３０は、多くのハードウェアノードが一緒に動作し、管理およびオーケストレーション（ＭＡＮＯ）１３１００を介して管理され、とりわけアプリケーション１３２０のライフサイクル管理を監督する、ハードウェアのより大きなクラスタ（例えば、データセンターまたは顧客宅内装置（ＣＰＥ）内など）の一部であってもよい。
【０１２６】
ハードウェアの仮想化は、一部の文脈ではネットワーク機能仮想化（ＮＦＶ）と呼ばれている。ＮＦＶは、多くのネットワーク機器の種類を、業界標準の大容量サーバハードウェア、物理スイッチ、および物理ストレージに統合するために使用されてもよく、データセンターに配置することができ、顧客宅内装置に配置することができる。
【０１２７】
ＮＦＶの文脈では、仮想マシン１３４０は、仮想化されていない物理マシン上で実行されているかのようにプログラムを実行する物理マシンのソフトウェア実装であってもよい。仮想マシン１３４０のそれぞれ、およびその仮想マシンを実行するハードウェア１３３０のその部分は、その仮想マシン専用のハードウェアおよび／またはその仮想マシンが仮想マシン１３４０の他の人と共有するハードウェアであってもよく、別個の仮想ネットワーク要素（ＶＮＥ）を形成する。
【０１２８】
ＮＦＶの文脈では、仮想ネットワーク機能（ＶＮＦ）は、ハードウェアネットワークインフラストラクチャ１３３０の上にある１つまたは複数の仮想マシン１３４０で実行される特定のネットワーク機能を処理する責任があり、図１３のアプリケーション１３２０に対応し得る。
【０１２９】
いくつかの実施形態では、それぞれが１つ以上の送信機１３２２０および１つ以上の受信機１３２１０を含む１つ以上の無線ユニット１３２００は、１つ以上のアンテナ１３２２５に結合されてもよい。無線ユニット１３２００は、１つ以上の適切なネットワークインタフェースを介してハードウェアノード１３３０と直接通信してもよく、無線アクセスノードまたは基地局などの無線機能を有する仮想ノードを提供するために、仮想構成要素と組み合わせて使用してもよい。
【０１３０】
いくつかの実施形態では、いくつかのシグナリングは、ハードウェアノード１３３０と無線ユニット１３２００との間の通信に代替的に使用されてもよい制御システム１３２３０の使用によって行われ得る。
【０１３１】
図１４を参照して、ある実施形態に従って、通信システムは、無線アクセスネットワークなどのアクセスネットワーク１４１１とコアネットワーク１４１４とを含む３ＧＰＰ型セルラーネットワークなどの通信ネットワーク１４１０を含む。アクセスネットワーク１４１１は、複数の基地局１４１２ａ、１４１２ｂ、１４１２ｃ、例えばＮＢ、ｅＮＢ、ｇＮＢ、または他のタイプの無線アクセスポイントからなり、それぞれが対応するカバレッジエリア１４１３ａ、１４１３ｂ、１４１３ｃを定義する。各基地局１４１２ａ、１４１２ｂ、１４１２ｃは、有線または無線接続１４１５を介してコアネットワーク１４１４に接続可能である。カバレッジエリア１４１３ｃに位置する第１のＵＥ１４９１は、対応する基地局１４１２ｃに無線で接続するか、またはページングされるように構成され得る。カバレッジエリア１４１３ａにある第２のＵＥ１４９２は、対応する基地局１４１２ａに無線で接続可能に構成されている。複数のＵＥ１４９１、１４９２がこの例で図示されているが、開示された実施形態は、単独のＵＥがカバレッジエリア内にある状況、または単独のＵＥが接続している状況にも同様に適用可能である。
【０１３２】
通信ネットワーク１４１０は、それ自体がホストコンピュータ１４３０に接続されており、このホストコンピュータ１４３０は、スタンドアロンサーバ、クラウド実装サーバ、分散サーバ、またはサーバファーム内の処理リソースとしてのハードウェアおよび／またはソフトウェアで具現化されてもよい。ホストコンピュータ１４３０は、サービスプロバイダの所有または制御下にあってもよいし、サービスプロバイダによって、またはサービスプロバイダに代わって運営されてもよい。通信ネットワーク１４１０とホストコンピュータ１４３０との間の接続１４２１および１４２２は、コアネットワーク１４１４からホストコンピュータ１４３０に直接延びてもよいし、オプションの中間ネットワーク１４２０を経由してもよい。中間ネットワーク１４２０は、パブリックネットワーク、プライベートネットワーク、またはホストネットワークのうちの１つまたは２つ以上の組み合わせであってもよく、中間ネットワーク１４２０は、もしあれば、バックボーンネットワークまたはインターネットであってもよく、特に、中間ネットワーク１４２０は、２つ以上のサブネットワーク（図示せず）から構成されてもよい。
【０１３３】
図１４の通信システムは、全体として、接続されたＵＥ１４９１、１４９２とホストコンピュータ１４３０との間の接続性を可能にする。この接続性は、オーバーザトップ（ＯＴＴ）接続１４５０として記述されてもよい。ホストコンピュータ１４３０および接続されたＵＥ１４９１、１４９２は、アクセスネットワーク１４１１、コアネットワーク１４１４、任意の中間ネットワーク１４２０、および可能性のある更なるインフラストラクチャ（図示せず）を中間体として使用して、ＯＴＴ接続１４５０を介してデータおよび／またはシグナリングを通信するように構成されている。ＯＴＴ接続１４５０は、ＯＴＴ接続１４５０が通過する参加通信装置がアップリンク通信およびダウンリンク通信のルーティングを知らないという意味で透過的であってもよい。例えば、基地局１４１２は、接続されたＵＥ１４９１に転送（例えば、ハンドオーバー）されるべきホストコンピュータ１４３０から発信されるデータを有する着信ダウンリンク通信の過去のルーティングについて知らされていないかもしれないし、知らされる必要がないかもしれない。同様に、基地局１４１２は、ＵＥ１４９１からホストコンピュータ１４３０に向かって発信するアップリンク通信の将来のルーティングを意識する必要はない。
【０１３４】
前の段落で論じたＵＥ、基地局、およびホストコンピュータの、一実施形態に従った例示的な実施形態が、次に、図１５を参照して説明される。通信システム１５００では、ホストコンピュータ１５１０は、通信システム１５００の別の通信装置のインタフェースとの有線または無線接続を設定し、維持するように構成された通信インタフェース１５１６を含むハードウェア１５１５で構成されている。ホストコンピュータ１５１０は、さらに、ストレージおよび／または処理能力を有していてもよい処理回路１５１８を構成する。特に、処理回路１５１８は、命令を実行するように適合された１つ以上のプログラマブルプロセッサ、特定用途向け集積回路、フィールドプログラマブルゲートアレイ、またはこれらの組み合わせ（図示せず）で構成されていてもよい。ホストコンピュータ１５１０は、さらに、ホストコンピュータ１５１０に格納されているか、またはホストコンピュータ１５１０によってアクセス可能であり、処理回路１５１８によって実行可能なソフトウェア１５１１を構成する。ソフトウェア１５１１は、ホストアプリケーション１５１２を含む。ホストアプリケーション１５１２は、ＵＥ１５３０とホストコンピュータ１５１０で終端するＯＴＴ接続１５５０を介して接続するＵＥ１５３０などのリモートユーザにサービスを提供するために動作可能であってもよい。リモートユーザにサービスを提供する際に、ホストアプリケーション１５１２は、ＯＴＴ接続１５５０を使用して送信されるユーザデータを提供してもよい。
【０１３５】
通信システム１５００は、さらに、通信システムに提供される基地局１５２０を含み得、ホストコンピュータ１５１０と、ＵＥ１５３０と通信することを可能にするハードウェア１５２５を構成する。ハードウェア１５２５は、通信システム１５００の別の通信装置のインタフェースとの有線または無線接続を設定して維持するための通信インタフェース１５２６と、基地局１５２０によって提供されるカバレッジエリア（図示せず）内に位置するＵＥ１５３０との少なくとも無線接続１５７０を設定して維持するための無線インタフェース１５２７とを含んでもよい。通信インタフェース１５２６は、ホストコンピュータ１５１０との接続１５６０を容易にするように構成されてもよい。接続１５６０は、直接であってもよいし、電気通信システムのコアネットワーク（図示せず）を通過してもよく、および／または電気通信システムの外部の１つ以上の中間ネットワークを通過してもよい。示された実施形態では、基地局１５２０のハードウェア１５２５は、処理回路１５２８をさらに含み得、これは、１つ以上のプログラマブルプロセッサ、特定用途向け集積回路、フィールドプログラマブルゲートアレイ、または命令を実行するように適合されたこれらの組み合わせ（図示せず）から構成されていてもよい。基地局１５２０はさらに、内部的に格納されたソフトウェア１５２１、または外部接続を介してアクセス可能なソフトウェア１５２１を有する。
【０１３６】
通信システム１５００はさらに、すでに参照されているＵＥ１５３０を含み得る。そのハードウェア１５３５は、ＵＥ１５３０が現在位置しているカバレッジエリアにサービスを提供する基地局との無線接続１５７０を設定し、維持するように構成された無線インタフェース１５３７を含んでもよい。ＵＥ１５３０のハードウェア１５３５は、さらに、命令を実行するように適合された１つ以上のプログラマブルプロセッサ、特定用途向け集積回路、フィールドプログラマブルゲートアレイ、またはこれらの組み合わせ（図示せず）から構成されてもよい処理回路１５３８を含み得る。ＵＥ１５３０はさらに、ソフトウェア１５３１を含み、このソフトウェア１５３１は、ＵＥ１５３０内に記憶されているか、またはＵＥ１５３０によってアクセス可能であり、処理回路１５３８によって実行可能である。ソフトウェア１５３１は、クライアントアプリケーション１５３２を含む。クライアントアプリケーション１５３２は、ホストコンピュータ１５１０の支援を受けて、ＵＥ１５３０を介して人間または非人間のユーザにサービスを提供するために動作可能であってもよい。ホストコンピュータ１５１０において、実行中のホストアプリケーション１５１２は、ＵＥ１５３０およびホストコンピュータ１５１０で終端するＯＴＴ接続１５５０を介して、実行中のクライアントアプリケーション１５３２と通信してもよい。ユーザにサービスを提供する際に、クライアントアプリケーション１５３２は、ホストアプリケーション１５１２から要求データを受信し、要求データに応答してユーザデータを提供してもよい。ＯＴＴ接続１５５０は、要求データとユーザデータの両方を転送してもよい。クライアントアプリケーション１５３２は、提供するユーザデータを生成するためにユーザと対話してもよい。
【０１３７】
図１５に図示されたホストコンピュータ１５１０、基地局１５２０およびＵＥ１５３０は、ホストコンピュータ１４３０、基地局１４１２ａ、１４１２ｂ、１４１２ｃのうちの１つ、および図１４のＵＥ１４９１、１４９２のうちの１つとそれぞれ類似または同一であってもよいことに留意されたい。すなわち、これらのエンティティの内部動作は、図１５に示すようなものであってもよく、独立して、周囲のネットワークトポロジーは、図１４のものであってもよい。
【０１３８】
図１５において、ＯＴＴ接続１５５０は、ホストコンピュータ１５１０とベースステーション１５２０を介したＵＥ１５３０との間の通信を、いかなる中間装置およびこれらの装置を介したメッセージの正確なルーティングについても明示的に参照することなく、抽象的に描かれている。ネットワークインフラストラクチャは、ルーティングを決定してもよく、それは、ＵＥ１５３０から、またはホストコンピュータ１５１０を動作するサービスプロバイダから、またはその両方から非表示にするように構成されてもよい。ＯＴＴ接続１５５０がアクティブである間、ネットワークインフラストラクチャは、（例えば、負荷分散の考慮またはネットワークの再構成に基づいて）ルーティングを動的に変更する決定をさらに行ってもよい。
【０１３９】
ＵＥの１５３０と基地局の１５２０との間の無線接続１５７０は、本開示全体に記載された実施形態の教示に従っている。様々な実施形態のうちの１つ以上は、無線接続１５７０が最後のセグメントを形成するＯＴＴ接続１５５０を使用してＵＥ１５３０に提供されるＯＴＴサービスのパフォーマンスを向上させる。より詳細には、本明細書に開示された例示的な実施形態は、ユーザ装置（ＵＥ）と５Ｇネットワークの外部のＯＴＴデータアプリケーションまたはサービスなどの別のエンティティとの間のデータセッションに関連付けられた、対応する無線ベアラを含むデータフローのエンドツーエンドのサービス品質（ＱｏＳ）を監視するためのネットワークの柔軟性を向上させることができる。これらおよび他の利点は、５Ｇ／ＮＲソリューションのよりタイムリーな設計、実装、および展開を促進することができる。さらに、そのような実施形態は、データセッションのＱｏＳの柔軟かつタイムリーな制御を容易にすることができ、これは、５Ｇ／ＮＲによって想定され、ＯＴＴサービスの成長にとって重要な、容量、スループット、レイテンシなどの改善につながる可能性がある。
【０１４０】
測定手順は、データレート、待ち時間、および１つまたは複数の実施形態が改善するその他のネットワーク動作の側面を監視する目的で提供されてもよい。測定結果の変動に応答して、ホストコンピュータ１５１０とＵＥ１５３０との間のＯＴＴ接続１５５０を再構成するためのオプションのネットワーク機能がさらに設けられていてもよい。測定手順および／またはＯＴＴ接続１５５０を再構成するためのネットワーク機能は、ホストコンピュータ１５１０のソフトウェア１５１１およびハードウェア１５１５に実装されてもよいし、ＵＥ１５３０のソフトウェア１５３１およびハードウェア１５３５に実装されてもよいし、またはその両方に実装されてもよい。実施形態では、センサ（図示せず）は、ＯＴＴ接続１５５０が通過する通信デバイスに配置されてもよいし、通信デバイスと関連して配置されてもよく、センサは、上述の例示された監視量の値を供給することによって測定手順に参加してもよいし、ソフトウェア１５１１、１５３１が監視量を計算または推定することができる他の物理量の値を供給することによって測定手順に参加してもよい。ＯＴＴ接続１５５０の再構成は、メッセージフォーマット、再送設定、好ましいルーティングなどを含んでもよく、再構成は基地局１５２０に影響を与える必要はなく、基地局１５２０には知られていないか、または感知できないものであってもよい。そのような手順および機能性は、当技術分野で知られており、実践されているかもしれない。特定の実施形態では、測定は、スループット、伝搬時間、遅延などのホストコンピュータ１５１０の測定を容易にする独自のＵＥシグナリングを含んでもよい。測定は、ソフトウェア１５１１および１５３１が、伝搬時間、エラーなどを監視しながら、ＯＴＴ接続１５５０を使用して、メッセージ、特に空のメッセージまたは「ダミー」メッセージを送信させるように実装されてもよい。
【０１４１】
図１６は、一実施形態に従った通信システムに実装された例示的な方法および／または手順を示すフローチャートである。通信システムは、ホストコンピュータ、基地局、および、いくつかの実施形態では図１４および図１５を参照して説明したものであってもよいＵＥを含む。本開示を簡単にするために、図１６を参照する図面のみが本項に含まれる。ステップ１６１０では、ホストコンピュータは、ユーザデータを提供する。ステップ１６１０のサブステップ１６１１（これはオプションであってもよい）では、ホストコンピュータは、ホストアプリケーションを実行することにより、ユーザデータを提供する。ステップ１６２０では、ホストコンピュータは、ＵＥにユーザデータを運ぶ伝送を開始する。ステップ１６３０（これはオプションであってもよい）では、基地局は、本開示全体に記載された実施形態の教示に従って、ホストコンピュータが開始した伝送で運ばれたユーザデータをＵＥに送信する。ステップ１６４０（これもオプションであってもよい）では、ＵＥは、ホストコンピュータによって実行されたホストアプリケーションに関連付けられたクライアントアプリケーションを実行する。
【０１４２】
図１７は、一実施形態に従った通信システムに実装された例示的な方法および／または手順を示すフローチャートである。通信システムは、ホストコンピュータ、基地局、および図１４および図１５を参照して説明したものであってもよいＵＥを含む。本開示を簡単にするために、図１７を参照した図面のみが本項に含まれる。方法のステップ１７１０では、ホストコンピュータは、ユーザデータを提供する。任意のサブステップ（図示せず）では、ホストコンピュータは、ホストアプリケーションを実行することにより、ユーザデータを提供する。ステップ１７２０では、ホストコンピュータは、ＵＥにユーザデータを運ぶ伝送を開始する。伝送は、本開示全体に記載された実施形態の教示に従って、基地局を経由してもよい。ステップ１７３０（これはオプションであってもよい）では、ＵＥは、送信で運ばれたユーザデータを受信する。
【０１４３】
図１８は、一実施形態に従った通信システムに実装された例示的な方法および／または手順を示すフローチャートである。通信システムは、ホストコンピュータ、基地局、および図１４および図１５を参照して説明したものであってもよいＵＥを含む。本開示を簡単にするために、図１８を参照した図面のみが本項に含まれる。ステップ１８１０（これはオプションであってもよい）において、ＵＥは、ホストコンピュータによって提供される入力データを受信する。さらに、または代替的に、ステップ１８２０において、ＵＥは、ユーザデータを提供する。ステップ１８２０のサブステップ１８２１（これはオプションであってもよい）では、ＵＥは、クライアントアプリケーションを実行することにより、ユーザデータを提供する。ステップ１８１０のサブステップ１８１１（これはオプションであってもよい）では、ＵＥは、ホストコンピュータによって提供された受信入力データに反応してユーザデータを提供するクライアントアプリケーションを実行する。ユーザデータを提供する際に、実行されるクライアントアプリケーションは、ユーザから受信したユーザ入力をさらに考慮してもよい。ユーザデータが提供された特定の方法にかかわらず、ＵＥは、サブステップ１８３０（これはオプションであってもよい）において、ホストコンピュータへのユーザデータの送信を開始する。方法のステップ１８４０において、ホストコンピュータは、本開示全体に記載された実施形態の教示に従って、ＵＥから送信されたユーザデータを受信する。
【０１４４】
図１９は、一実施形態に従って、通信システムに実装された例示的な方法および／または手順を示すフローチャートである。通信システムは、ホストコンピュータ、基地局、および図１４および図１５を参照して説明したものであってもよいＵＥを含む。本開示を簡単にするために、図１９を参照した図面のみが本項に含まれる。ステップ１９１０（これはオプションであってもよい）では、本開示全体に記載された実施形態の教示に従って、基地局はＵＥからユーザデータを受信する。ステップ１９２０（これはオプションであってもよい）では、基地局は、受信したユーザデータのホストコンピュータへの送信を開始する。ステップ１９３０（これはオプションであってもよい）では、ホストコンピュータは、基地局によって開始された送信で運ばれたユーザデータを受信する。
【０１４５】
前述は、単に本開示の原理を例示しているに過ぎない。記載された実施形態に対する様々な修正および変更は、本明細書の教示を考慮すると、当業者には明らかであろう。したがって、当業者であれば、明示的に示されておらずまたは本明細書に記載されていなくとも、本開示の原理を具現化し、したがって、本開示の精神および範囲内であり得る、多数のシステム、装置、および手順を考案することができることが理解されるであろう。様々な例示的な実施形態は、当技術分野の通常の技術を有する者によって理解されるべきであるように、共にまた交換可能に使用することができる。
【０１４６】
本明細書で使用されるような用語ユニットは、エレクトロニクス、電気デバイスおよび／または電子デバイスの分野において従来の意味を有し得、例えば、電気および／または電子回路、デバイス、モジュール、プロセッサ、メモリ、論理ソリッドステートおよび／またはディスクリートデバイス、それぞれのタスク、手順、計算、出力、および／または表示機能を実行するためのコンピュータプログラムまたは命令、および／または本明細書に記載されるようなものを含むことができる。
【０１４７】
本明細書に開示される任意の適切なステップ、方法、特徴、機能、または利点は、１つまたは複数の仮想装置の１つまたは複数の機能ユニットまたはモジュールを介して実行されてもよい。各仮想装置は、これらの機能ユニットの数を含んでいてもよい。これらの機能ユニットは、１つ以上のマイクロプロセッサまたはマイクロコントローラ、およびデジタル信号プロセッサ（ＤＳＰ）、特殊目的デジタルロジックなどを含む他のデジタルハードウェアを含んでもよい処理回路を介して実装されてもよい。処理回路は、メモリに記憶されたプログラムコードを実行するように構成されていてもよく、これは、リードオンリーメモリ（ＲＯＭ）、ランダムアクセスメモリ（ＲＡＭ）、キャッシュメモリ、フラッシュメモリ装置、光記憶装置などの１つまたは複数のタイプのメモリを含んでいてもよい。メモリに記憶されたプログラムコードは、本明細書に記載された技術のうちの１つ以上の技術を実行するための命令と同様に、１つ以上の電気通信プロトコルおよび／またはデータ通信プロトコルを実行するためのプログラム命令を含む。いくつかの実施形態では、処理回路は、本開示の１つ以上の実施形態に従って、それぞれの機能ユニットに対応する機能を実行させるために使用されてもよい。
【０１４８】
本明細書に記載されるように、デバイスおよび／または装置は、半導体チップ、チップセット、またはそのようなチップまたはチップセットを構成する（ハードウェア）モジュールによって表すことができるが、これは、デバイスまたは装置の機能が、ハードウェアとして実装される代わりに、実行可能なソフトウェアコード部分を含むコンピュータプログラムまたはコンピュータプログラム製品のようなソフトウェアモジュールとして実装され、プロセッサ上で実行されるか、または実行される可能性を排除するものではない。さらに、デバイスや装置の機能は、ハードウェアとソフトウェアの任意の組み合わせで実装することができる。また、デバイスまたは装置は、機能的に互いに協力しているか独立しているかに関わらず、複数のデバイスおよび／または装置の集合体とみなすことができる。さらに、デバイスまたは装置は、デバイスまたは装置の機能が維持される限り、システム全体に分散して実装することができる。そのような原理および類似の原理は、当業者に知られているものとみなされる。
【０１４９】
別段の定義がない限り、本明細書で使用されるすべての用語（技術用語および科学用語を含む）は、本開示が属する当技術分野の通常の熟練者によって一般的に理解されるのと同じ意味を有する。本明細書で使用される用語は、本明細書および関連する技術の文脈においてそれらの意味と一致する意味を有するものとして解釈されるべきであり、本明細書で明示的にそう定義されない限り、理想化されたまたは過度に形式的な意味で解釈されることはないことがさらに理解されるであろう。
【０１５０】
さらに、本開示（本明細書、図面、およびその例示的な実施形態を含むがこれらに限定されない）で使用される特定の用語（例えば、データおよび情報を含むがこれらに限定されない）は、特定の実施形態において同義に使用され得る。これらの単語および／または互いに同義であり得る他の単語は、本明細書において同義に使用することができるが、そのような単語が同義に使用されないように意図され得る場合があることが理解されるべきである。さらに、先行技術の知識が上記の参照により本明細書に明示的に組み込まれていない範囲で、その全体が本明細書に明示的に組み込まれる。参照されたすべての刊行物は、その全体が参照により本明細書に組み込まれる。
【０１５１】
本明細書に記載された技術および装置の例示的な実施形態には、以下の列挙された例が含まれるが、これらに限定されるものではない：
１．  ユーザ装置（ＵＥ）が、無線アクセスネットワーク（ＲＡＮ）内のネットワークノードにＵＥ能力を広告する方法であって、該方法は、
前記ＵＥによってサポートされる複数の特徴セットを記述した情報を前記ネットワークノードに送信することであって、前記情報は、
１つまたは複数のInitialFeatureListであって、各InitialFeatureListは１つまたは複数の非拡張可能なInitialFeatureSet要素を含み、各非拡張可能なInitialFeatureSet要素は１つまたは複数の初期特徴に対する前記ＵＥのサポートを示す、前記１つまたは複数のInitialFeatureListと、
１つまたは複数のExtensionFeatureListであって、各ExtensionFeatureListは特定のInitialFeatureListに関連付けられており、各ExtensionFeatureListは１つまたは複数のExtensionFeatureSet要素を含み、各InitialFeatureSet要素は１つまたは複数の拡張特徴に対する前記ＵＥのサポートを示す、前記１つまたは複数のExtensionFeatureListと、
を含む、前記送信することと、
１つまたは複数のBandCombination要素を前記ネットワークノードに送信することであって、各BandCombination要素は、
前記ＵＥが同時に情報を送信および／または受信するよう動作可能である周波数バンドのリストと、
前記リストを含む各特定の周波数バンドに対して、１つまたは複数のFeatureSetIdentifierのさらなるリストであって、各FeatureSetIdentifierは、前記特定の周波数バンドで動作するときに前記ＵＥによってサポートされる特徴を記述する特定のInitialFeatureSet要素と対応するExtensionFeatureSet要素とに対応する、前記さらなるリストと、
を含む、前記送信することと、
を含む方法。
２．  各InitialFeatureSet要素および関連するExtensionFeatureSet要素は、単一のコンポーネントキャリア（ＣＣ）に関して前記ＵＥによってサポートされる特徴を識別する実施形態１の方法。
３．  各InitialFeatureSet要素および関連するExtensionFeatureSet要素は、周波数バンド全体に関して前記ＵＥによってサポートされる特徴を識別する実施形態１の方法。
４．  各InitialFeatureSet要素および関連するExtensionFeatureSet要素は、アップリンク動作およびダウンリンク動作の何れかに関連する特徴を識別する実施形態１乃至３の何れかの方法。
５．  ExtensionFeatureListの特定の位置にあるExtensionFeatureSetは、InitialFeatureListの同じ前記特定の位置にあるInitialFeatureSetに対応する
実施形態１乃至４の何れかの方法。
６．  各BandCombination要素は、前記リストを含む前記複数の周波数バンドの組み合わせに関連付けられた特定のFeatureSetCombinationの識別子を含み、
前記特定のFeatureSetCombinationは、前記さらなるリストを含む前記１つまたは複数のFeatureSetIdentifierを含む
実施形態１乃至５の何れかの方法。
７．  無線アクセスネットワーク（ＲＡＮ）内で動作可能なネットワークノードが、ユーザ装置（ＵＥ）により広告されるの能力を受信する方法であって、該方法は、
前記ＵＥによってサポートされる複数の特徴セットを記述した情報を前記ＵＥから受信することであって、前記情報は、
１つまたは複数のInitialFeatureListであって、各InitialFeatureListは１つまたは複数の非拡張可能なInitialFeatureSet要素を含み、各非拡張可能なInitialFeatureSet要素は１つまたは複数の初期特徴に対する前記ＵＥのサポートを示す、前記１つまたは複数のInitialFeatureListと、
１つまたは複数のExtensionFeatureListであって、各ExtensionFeatureListは特定のInitialFeatureListに関連付けられており、各ExtensionFeatureListは１つまたは複数のExtensionFeatureSet要素を含み、各InitialFeatureSet要素は１つまたは複数の拡張特徴に対する前記ＵＥのサポートを示す、前記１つまたは複数のExtensionFeatureListと、
を含む、前記受信することと、
１つまたは複数のBandCombination要素を前記ＵＥから受信することであって、各BandCombination要素は、
前記ＵＥが同時に情報を送信および／または受信するよう動作可能である周波数バンドのリストと、
前記リストを含む各特定の周波数バンドに対して、１つまたは複数のFeatureSetIdentifierのさらなるリストであって、各FeatureSetIdentifierは、前記特定の周波数バンドで動作するときに前記ＵＥによってサポートされる特徴を記述する特定のInitialFeatureSet要素と対応するExtensionFeatureSet要素とに対応する、前記さらなるリストと、
を含む、前記受信することと、
前記受信された１つまたは複数のBandCombination要素と、前記ＵＥによってサポートされる前記複数の特徴セットを記述する前記受信された情報と、に基づいて、前記ＵＥの能力を決定することと、
を含む方法。
８．  各InitialFeatureSet要素および関連するExtensionFeatureSet要素は、単一のコンポーネントキャリア（ＣＣ）に関して前記ＵＥによってサポートされる特徴を識別する実施形態７の方法。
９．  各InitialFeatureSet要素および関連するExtensionFeatureSet要素は、周波数バンド全体に関して前記ＵＥによってサポートされる特徴を識別する実施形態７の方法。
１０．  各InitialFeatureSet要素および関連するExtensionFeatureSet要素は、アップリンク動作およびダウンリンク動作の何れかに関連する特徴を識別する実施形態７乃至９の何れかの方法。
１１．  ExtensionFeatureListの特定の位置にあるExtensionFeatureSetは、InitialFeatureListの同じ前記特定の位置にあるInitialFeatureSetに対応する
実施形態７乃至１０の何れかの方法。
１２．  各BandCombination要素は、前記リストを含む前記複数の周波数バンドの組み合わせに関連付けられた特定のFeatureSetCombinationの識別子を含み、
前記特定のFeatureSetCombinationは、前記さらなるリストを含む前記１つまたは複数のFeatureSetIdentifierを含む
実施形態７乃至１１の何れかの方法。
１３．  ネットワークノードが特定のFeatureSetIdentifierに対応するExtensionFeatureSet要素をサポートしていない場合、特定のFeatureSetIdentifierに対応するInitialFeatureSet要素に基づきかつ関連するExtensionFeatureSet要素には基づかずに、前記ＵＥの能力を決定する、実施形態７乃至１２の何れかの方法。
１４．  無線アクセスネットワーク（ＲＡＮ）内のネットワークノードにデバイスの能力を広告するように構成可能な無線デバイスであって、該無線デバイスは、
実施形態１乃至６の何れかのステップを実行するように構成された処理回路と、
前記無線デバイスに電力を供給するように構成された電源回路と、
を含む。
１５．  無線アクセスネットワーク（ＲＡＮ）で動作可能であり、ユーザ装置（ＵＥ）によって広告された能力を受信するように構成可能なネットワークノードであって、該ネットワークノードは、
実施形態７乃至１３の何れかのステップを実行するように構成された処理回路と、
基地局に電力を供給するように構成された電源回路と、
を含む。
１６．  無線アクセスネットワーク（ＲＡＮ）のネットワークノードにＵＥの能力を広告するように構成可能なユーザ装置（ＵＥ）であって、前記ＵＥは、
無線信号を送受信するように構成されたアンテナと、
アンテナに動作可能に結合された無線フロントエンド回路と、
無線フロントエンド回路に動作可能に結合され、実施形態１乃至６の何れかのステップを実行するように構成された処理回路と、
処理回路に接続され、処理回路によって処理される情報の入力を可能にするように構成された入力インタフェースと、
処理回路に接続され、処理回路によって処理された情報を出力するように構成された出力インタフェースと、
処理回路に接続され、ＵＥに電力を供給するように構成されたバッテリと、
を含む。
１７．  ホストコンピュータを含む通信システムであって、該ホストコンピュータは、
ユーザデータを提供するように構成された処理回路と、
ユーザデータをユーザ装置（ＵＥ）に送信するためにセルラーネットワークに転送するように構成された通信インタフェースであって、該セルラーネットワークは、無線インタフェースおよび処理回路を有する基地局を含み、基地局の処理回路は、実施形態７乃至１３の何れかの動作を実行するように構成されている。
１８．  基地局をさらに含む、先行する実施形態の通信システム。
１９．  ＵＥをさらに含み、ＵＥは、実施形態１乃至６の何れかに対応する動作を実行するように構成されている、先行する２つの実施形態の通信システム。
２０．  先行する３つの実施形態の通信システムであって、
ホストコンピュータの処理回路は、ホストアプリケーションを実行するように構成され、それによりユーザデータを提供し、
ＵＥは、ホストアプリケーションに関連付けられたクライアントアプリケーションを実行するように構成された処理回路を含む。
２１．  ホストコンピュータ、基地局、およびユーザ装置（ＵＥ）を含む通信システムに実装される方法であって、方法は、
ホストコンピュータにおいて、ユーザデータを提供することと、
ホストコンピュータで、基地局を含むセルラーネットワークを介してＵＥにユーザデータを伝送する送信を開始することと、
を含み、基地局は、実施形態７乃至１３の何れかの動作を実行する。
２２．  さらに、基地局において、ユーザデータを送信することをさらに含む、先行する方法。
２３．  ユーザデータがホストアプリケーションを実行することによってホストコンピュータに提供され、該方法は、ＵＥで、ホストアプリケーションに関連付けられたクライアントアプリケーションを実行することをさらに含む、先行する２つの実施形態の方法。
２４．  基地局と通信するように構成されたユーザ装置（ＵＥ）であって、該ＵＥは、無線インタフェースおよび先行する３つの実施形態の方法のいずれかを実行するように構成された処理回路を含む。
２５．  ホストコンピュータを含む通信システムであって、該ホストコンピュータは、
ユーザデータを提供するように構成された処理回路と、
ユーザ装置（ＵＥ）に送信するためにユーザデータをセルラーネットワークに転送するように構成された通信インタフェースであって、ＵＥは、無線インタフェースおよび処理回路を含む、動作可能に結合され、かつ、実施形態１乃至６の何れかの動作を実行するように構成されている、通信インタフェースと、
を含む。
２６．  前記セルラーネットワークが、ＵＥと通信するように構成された基地局をさらに含む、先行する実施形態の通信システム。
２７．  ホストコンピュータの処理回路が、ホストアプリケーションを実行するように構成され、それによりユーザデータを提供し、
ＵＥの処理回路は、ホストアプリケーションに関連付けられたクライアントアプリケーションを実行するように構成される、先行する２つの実施形態の通信システム。
２８．  ホストコンピュータ、基地局、およびユーザ装置（ＵＥ）を含む通信システムに実装される方法であって、
ホストコンピュータにおいて、ユーザデータを提供することと、
ホストコンピュータで、基地局を構成するセルラーネットワークを介してＵＥにユーザデータを伝送する送信を開始することと、
を含み、ＵＥは、実施形態１乃至６の何れかのステップを実行する。
２９．  ＵＥにおいて、基地局からユーザデータを受信することをさらに含む、先行する実施形態の方法。
３０．  ホストコンピュータを含む通信システムであって、ホストコンピュータは、
ユーザ装置（ＵＥ）から基地局への送信に由来するユーザデータを受信するように構成された通信インタフェースを含み、
ＵＥは無線インタフェースと処理回路とを含み、ＵＥの処理回路は、実施形態１乃至６の何れかの動作を実行するように構成されている。
３１．  ＵＥをさらに含む、先行する実施形態の通信システム。
３２．  基地局をさらに含み、前記基地局は、ＵＥと通信するように構成された無線インタフェースと、ＵＥから基地局への送信によって運ばれたユーザデータをホストコンピュータに転送するように構成された通信インタフェースと、を含む、先行する２つの実施形態の通信システム。
３３．  ホストコンピュータの処理回路は、ホストアプリケーションを実行するように構成されており、
ＵＥの処理回路は、ホストアプリケーションに関連付けられたクライアントアプリケーションを実行するように構成され、それによってユーザデータを提供する
先行する３つの実施形態の通信システム。
３４．  ホストコンピュータの処理回路は、ホストアプリケーションを実行するように構成されており、それによってリクエストデータを提供し
前記ＵＥの処理回路は、前記ホストアプリケーションに関連付けられたクライアントアプリケーションを実行するように構成されており、それにより、要求データに応答してユーザデータを提供する
先行する４つの実施形態の通信システム。
３５．  ホストコンピュータ、基地局、およびユーザ装置（ＵＥ）を含む通信システムに実装される方法であって、該方法は、
ホストコンピュータで、基地局に送信されたユーザデータをＵＥから受信し、ＵＥは、実施形態１乃至６の何れかの動作を実行する。
３６．  ＵＥにおいて、ユーザデータを基地局に提供することをさらに含む、先行する方法。
３７．  ＵＥで、クライアントアプリケーションを実行して、送信されるユーザデータを提供することと、
ホストコンピュータで、クライアントアプリケーションに関連付けられたホストアプリケーションを実行することと、
をさらに含む、先行する２つの実施形態の方法。
３８．  ＵＥにおいて、クライアントアプリケーションを実行することと、
前記ＵＥにおいて、前記クライアントアプリケーションへの入力データを受信し、前記入力データは、前記クライアントアプリケーションに関連付けられたホストアプリケーションを実行することにより、前記ホストコンピュータに提供されることと、
をさらに含み、
前記入力データは、前記クライアントアプリケーションに関連付けられたホストアプリケーションを実行することによってホストコンピュータで提供され、前記入力データは、前記クライアントアプリケーションに関連付けられたホストアプリケーションを実行することによってホストコンピュータで提供される、先行する３つの実施形態の方法。
３９．  ユーザ装置（ＵＥ）から基地局への送信に由来するユーザデータを受信するように構成された通信インタフェースを含むホストコンピュータを含む通信システムであって、前記基地局は、無線インタフェースおよび処理回路を含み、前記基地局の処理回路は、実施形態７乃至１３の何れかの動作を実行するように構成されている、通信システム。
４０．  基地局をさらに含む、先行する実施形態の通信システム。
４１．  ＵＥをさらに含み、ＵＥが基地局と通信するように構成されている、先行する２つの実施形態の通信システム。
４２．  前記ＵＥは、基地局と通信するように構成されており、
ホストコンピュータの処理回路は、ホストアプリケーションを実行するように構成されており、
ＵＥは、ホストアプリケーションに関連付けられたクライアントアプリケーションを実行するように構成され、それによってホストコンピュータによって受信されるユーザデータを提供する、先行する３つの実施形態の通信システム。
４３．  ホストコンピュータ、基地局、およびユーザ装置（ＵＥ）を含む通信システムに実装される方法であって、該方法は、
ホストコンピュータで、基地局がＵＥから受信した送信に由来するユーザデータを基地局から受信することを含む。
４４．  基地局で、ＵＥからユーザデータを受信することをさらに含む、先行する実施形態の方法。
４５．  基地局で、受信したユーザデータのホストコンピュータへの送信を開始することをさらに含む、先行する２つの実施形態の方法。
４６．  ユーザ装置（ＵＥ）を構成する少なくとも１つのプロセッサによって実行されたとき、実施形態１乃至６の何れかの方法に対応する動作を実行するようにＵＥを構成する、コンピュータ実行可能命令を格納した非一時的コンピュータ可読媒体。
４７．  ネットワークノードを構成する少なくとも１つのプロセッサによって実行されたとき、実施形態７乃至１３の何れかの方法に対応する動作を実行するようにネットワークノードを構成する、コンピュータ実行可能命令を格納した非一時的コンピュータ可読媒体。
【図１】
2021525020.tif 000003
【図２】
2021525020.tif 000004
【図３】
2021525020.tif 000005
【図４】
2021525020.tif 000006
【図５】
2021525020.tif 000007
【図６】
2021525020.tif 000008
【図７】
2021525020.tif 000009
【図８Ａ】
2021525020.tif 000010
【図８Ｂ】
2021525020.tif 000011
【図９】
2021525020.tif 000012
【図１０】
2021525020.tif 000013
【図１１】
2021525020.tif 000014
【図１２】
2021525020.tif 000015
【図１３】
2021525020.tif 000016
【図１４】
2021525020.tif 000017
【図１５】
2021525020.tif 000018
【図１６】
2021525020.tif 000019
【図１７】
2021525020.tif 000020
【図１８】
2021525020.tif 000021
【図１９】
2021525020.tif 000022
【手続補正書】
【提出日】令和3年1月4日(2021.1.4)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）が、ニューラジオ無線アクセスネットワーク（ＮＲ＿ＲＡＮ）内のネットワークノードにＵＥ能力を広告する方法であって、該方法は、
前記ＵＥによってサポートされる複数の特徴セットを記述した情報要素を前記ネットワークノードに送信すること（９１０）であって、前記情報要素は、
１つまたは複数のInitialFeatureListであって、各InitialFeatureListは１つまたは複数の非拡張可能なInitialFeatureSet要素を含み、各非拡張可能なInitialFeatureSet要素は１つまたは複数の特徴に対する前記ＵＥのサポートを示す、前記１つまたは複数のInitialFeatureListと、
１つまたは複数のExtensionFeatureListであって、各ExtensionFeatureListは特定のInitialFeatureListに関連付けられており、各ExtensionFeatureListは１つまたは複数のExtensionFeatureSet要素を含み、各ExtensionFeatureSet要素は１つまたは複数の特徴に対する前記ＵＥのサポートを示す、前記１つまたは複数のExtensionFeatureListと、
を含む、前記送信すること（９１０）と、
１つまたは複数のBandCombination情報要素を前記ネットワークノードに送信すること（９２０）であって、各BandCombination情報要素は、
前記ＵＥが同時に情報を送信および／または受信可能である周波数バンドのリストと、
前記リストに含まれる各周波数バンド内で前記ＵＥによってサポートされる複数の特徴を識別するFeatureSetCombination要素であって、特定の周波数バンド内で前記ＵＥによってサポートされる前記複数の特徴は、各InitialFeatureListからの特定のInitialFeatureSet要素と、各InitialFeatureListに関連付けられたExtensionFeatureListからの対応するExtensionFeatureSet要素と、に基づく、前記FeatureSetCombination要素と、
を含む、前記送信すること（９２０）と、
を含む方法。
【請求項２】
構成を前記ネットワークノードから受信すること（９３０）であって、前記構成は、
１つまたは複数の周波数バンドの識別であって、識別される周波数バンドは特定の送信されたBandCombination情報要素に含まれるリストの一部である、前記１つまたは複数の周波数バンドの識別と、
前記識別される周波数バンドの各々に対する、前記特定の送信されたBandCombination情報要素によって識別される１つまたは複数の特徴の構成と、
を含む、前記受信すること（９３０）をさらに含む
請求項１に記載の方法。
【請求項３】
前記受信された構成は、デュアルコネクティビティ（ＤＣ）またはキャリアアグリゲーション（ＣＡ）の動作に対する複数の周波数バンドを識別する
請求項２に記載の方法。
【請求項４】
前記受信された構成は、前記識別された周波数バンドそれぞれに関連付けられたInitialFeatureSet要素によって示される特徴のみを含む
請求項２または３に記載の方法。
【請求項５】
前記受信された構成は、前記識別された周波数バンドそれぞれに関連付けられたInitialFeatureSet要素および対応するExtensionFeatureSet要素の両方によって示される特徴を含む
請求項２または３に記載の方法。
【請求項６】
前記受信された構成に従って、前記識別された周波数バンドで前記ネットワークノードと情報を送信または受信すること（９４０）をさらに含む
請求項２乃至５の何れか１項に記載の方法。
【請求項７】
各InitialFeatureSet要素および関連するExtensionFeatureSet要素は、前記特定の周波数バンド全体に関して前記ＵＥによってサポートされる特徴を識別する
請求項１乃至６の何れか１項に記載の方法。
【請求項８】
各InitialFeatureSet要素は、また、前記特定の周波数バンド内の個々のコンポーネントキャリアに関して前記ＵＥによってサポートされる特徴を識別する
請求項７に記載の方法。
【請求項９】
前記１つまたは複数のInitialFeatureListは、ダウンリンク動作に関連付けられた第１のInitialFeatureListと、アップリンク動作に関連付けられた第２のInitialFeatureListと、を含む
請求項１乃至８の何れか１項に記載の方法。
【請求項１０】
ExtensionFeatureListの特定の位置にあるExtensionFeatureSetは、InitialFeatureListの同じ前記特定の位置にあるInitialFeatureSetに対応する
請求項１乃至９の何れか１項に記載の方法。
【請求項１１】
周波数バンドの前記リストに含まれる各特定の周波数バンドに対して、
前記FeatureSetCombination要素は、特定の周波数バンドに対する１つまたは複数のFeatureSetIdentifierを含み、
各FeatureSetIdentifierは、特定のInitialFeatureListと、特定の周波数バンドに対する関連するExtensionFeatureListと、に関連し、
各FeatureSetIdentifierは、前記関連するInitialFeatureListからの前記特定のInitialFeatureSet要素と、前記関連するExtensionFeatureListからの前記対応するExtensionFeatureSet要素と、を識別する
請求項１乃至１０の何れか１項に記載の方法。
【請求項１２】
前記１つまたは複数のFeatureSetIdentifierは、各特定の周波数バンドに対して、ダウンリンク動作に関連付けられた第１のFeatureSetIdentifierと、アップリンク動作に関連付けられた第２のFeatureSetIdentifierと、を含む
請求項１１に記載の方法。
【請求項１３】
ニューラジオ無線アクセスネットワーク（ＮＲ＿ＲＡＮ）のネットワークノードが、ユーザ装置（ＵＥ）の能力を決定する方法であって、該方法は、
前記ＵＥによってサポートされる複数の特徴セットを記述した情報要素を前記ＵＥから受信すること（１０１０）であって、前記情報要素は、
１つまたは複数のInitialFeatureListであって、各InitialFeatureListは１つまたは複数の非拡張可能なInitialFeatureSet要素を含み、各非拡張可能なInitialFeatureSet要素は１つまたは複数の特徴に対する前記ＵＥのサポートを示す、前記１つまたは複数のInitialFeatureListと、
１つまたは複数のExtensionFeatureListであって、各ExtensionFeatureListは特定のInitialFeatureListに関連付けられており、各ExtensionFeatureListは１つまたは複数のExtensionFeatureSet要素を含み、各ExtensionFeatureSet要素は１つまたは複数の特徴に対する前記ＵＥのサポートを示す、前記１つまたは複数のExtensionFeatureListと、
を含む、前記受信すること（１０１０）と、
１つまたは複数のBandCombination情報要素を前記ＵＥから受信すること（１０２０）であって、各BandCombination情報要素は、
前記ＵＥが同時に情報を送信および／または受信可能である周波数バンドのリストと、
前記リストに含まれる各周波数バンド内で前記ＵＥによってサポートされる複数の特徴を識別するFeatureSetCombination要素であって、特定の周波数バンド内で前記ＵＥによってサポートされる前記複数の特徴は、各InitialFeatureListからの特定のInitialFeatureSet要素と、各InitialFeatureListに関連付けられたExtensionFeatureListからの対応するExtensionFeatureSet要素と、に基づく、前記FeatureSetCombination要素と、
を含む、前記受信すること（１０２０）と、
前記受信された１つまたは複数のBandCombination情報要素と、前記ＵＥによってサポートされる前記複数の特徴セットを記述する前記受信された情報要素と、に基づいて、前記ＵＥの能力を決定すること（１０３０）と、
を含む方法。
【請求項１４】
前記ＵＥの能力を前記決定すること（１０３０）は、各特定のBandCombination情報要素に対して、
前記ネットワークノードが、前記特定のBandCombination情報要素によって識別されるそれぞれのExtensionFeatureSet要素をサポートしているかどうかを決定すること（１０３２）と、
前記ネットワークノードがサポートしていない各特定のExtensionFeatureSet要素に対して、前記関連するInitialFeatureSet要素によって記述された特徴に基づきかつ前記特定のExtensionFeatureSet要素によって記述された特徴には基づかずに、前記ＵＥの能力を決定すること（１０３４）と、
前記ネットワークノードがサポートしている各特定のExtensionFeatureSet要素に対して、前記関連するInitialFeatureSet要素および前記特定のExtensionFeatureSet要素によって記述された特徴に基づいて前記ＵＥの能力を決定すること（１０３６）と、
を含む
請求項１３に記載の方法。
【請求項１５】
各InitialFeatureSet要素および関連するExtensionFeatureSet要素は、前記特定の周波数バンド全体に関して前記ＵＥによってサポートされる特徴を識別する
請求項１３または１４に記載の方法。
【請求項１６】
前記１つまたは複数のInitialFeatureListは、ダウンリンク動作に関連付けられた第１のInitialFeatureListと、アップリンク動作に関連付けられた第２のInitialFeatureListと、を含む
請求項１３乃至１５の何れか１項に記載の方法。
【請求項１７】
ExtensionFeatureListの特定の位置にあるExtensionFeatureSetは、InitialFeatureListの同じ前記特定の位置にあるInitialFeatureSetに対応する
請求項１３乃至１６の何れか１項に記載の方法。
【請求項１８】
ニューラジオ無線アクセスネットワーク（ＮＲ＿ＲＡＮ）内のネットワークノードにＵＥ能力を広告するよう動作可能なユーザ装置（ＵＥ）（１１１０、１２００、１５３０）であって、該ＵＥは、請求項１乃至１２の何れか１項に記載の方法に対応する動作を実行するように配置される、ＵＥ。
【請求項１９】
ユーザ装置（１１１０、１２００、１５３０）の処理回路（１１２０、１２０１、１５３８）によって実行されたとき、請求項１乃至１２の何れか１項に記載の方法に対応する動作を実行するように前記ユーザ装置を構成する、コンピュータ実行可能命令を格納した非一時的コンピュータ可読媒体（１１５０、１２２１）。
【請求項２０】
ユーザ装置（１１１０、１２００、１５３０）の処理回路（１１２０、１２０１、１５３８）によって実行されたとき、請求項１乃至１２の何れか１項に記載の方法に対応する動作を実行するように前記ユーザ装置を構成する、コンピュータ実行可能命令を含むコンピュータプログラム。
【請求項２１】
ユーザ装置（ＵＥ）の能力を決定するように構成されたニューラジオ無線アクセスネットワーク（ＮＲ＿ＲＡＮ）のネットワークノード（１１６０、１５２７）であって、該ネットワークノードは、請求項１３乃至１７の何れか１項に記載の方法に対応する動作を実行するように配置される、ネットワークノード。
【請求項２２】
ネットワークノード（１１６０、１５２７）の処理回路（１１７０、１５２８）によって実行されたとき、請求項１３乃至１７の何れか１項に記載の方法に対応する動作を実行するように前記ネットワークノードを構成する、コンピュータ実行可能命令を格納した非一時的コンピュータ可読媒体（１１５０、１２２１）。
【請求項２３】
ネットワークノード（１１６０、１５２７）の処理回路（１１７０、１５２８）によって実行されたとき、請求項１３乃至１７の何れか１項に記載の方法に対応する動作を実行するように前記ネットワークノードを構成する、コンピュータ実行可能命令を含むコンピュータプログラム。
【国際調査報告】
2021525020.tif 000023
2021525020.tif 000024
2021525020.tif 000025